(57)【要約】  本発明は、スマート・アプライアンスの管理アカウント設定方法、装置、プログラム及び記録媒体に関し、端末分野に属する。上記方法は、少なくとも第１のスマート・アプライアンスの登録アカウント、及び第１の位置情報が含まれている権限取得要求を受信するステップと、第１の位置情報に基づいて、第１のアプライアンスグループを取得するステップと、第１のスマート・アプライアンスが第１のアプライアンスグループ内のスマート・アプライアンスに対する管理権限を有すると確定した場合、第１のスマート・アプライアンスの登録アカウントを第１のアプライアンスグループの管理アカウントに設定するステップと、第１のスマート・アプライアンス、及び第１のアプライアンスグループ内のスマート・アプライアンスに授権メッセージを送信するステップと、を含む。  【選択図】図１
2017517824.tif 000002
【特許請求の範囲】
【請求項１】
第１のスマート・アプライアンスから、少なくとも前記第１のスマート・アプライアンスの登録アカウント、及び第１の位置情報が含まれている権限取得要求を受信するステップと、
前記第１の位置情報に基づいて、位置情報とアプライアンスグループの間の対応関係から第１のアプライアンスグループを取得するステップと、
前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するステップと、
前記第１のスマート・アプライアンス、及び第１のアプライアンスグループ内のスマート・アプライアンスに、前記第１のアプライアンスグループの管理アカウントが前記第１のスマート・アプライアンスの登録アカウントであることを通知するための授権メッセージを送信して、前記第１のスマート・アプライアンス、及び前記第１のアプライアンスグループ内のスマート・アプライアンスが前記第１のスマート・アプライアンスの登録アカウントに基づいて前記第１のアプライアンスグループ内のスマート・アプライアンスを管理するようにするステップと、
を含むことを特徴とするスマート・アプライアンスの管理アカウント設定方法。
【請求項２】
前記権限取得要求には、前記第１のスマート・アプライアンスのアプライアンス識別子がさらに含まれ、
前記第１のアプライアンスグループを取得した後、前記方法は、
前記第１のスマート・アプライアンスのアプライアンス識別子、予め記憶されているアプライアンス識別子とアプライアンスグループの対応関係に基づいて、前記第１のスマート・アプライアンスが前記第１のアプライアンスグループに属しているか否かを判断するステップと、
前記第１のスマート・アプライアンスが前記第１のアプライアンスグループに属している場合、前記第１のスマート・アプライアンスが第１のアプライアンスグループ内のスマート・アプライアンスに対する管理権限を有すると確定するステップと、
をさらに含むことを特徴とする請求項１に記載のスマート・アプライアンスの管理アカウント設定方法。
【請求項３】
前記権限取得要求には、第２のスマート・アプライアンスのアプライアンス識別子がさらに含まれ、
前記第１のアプライアンスグループを取得した後、前記方法は、
第１のアプライアンスグループに前記第２のスマート・アプライアンスのアプライアンス識別子と同一のアプライアンス識別子が存在するか否かを検索するステップと、
前記第１のアプライアンスグループに前記第２のスマート・アプライアンスのアプライアンス識別子と同一のアプライアンス識別子が存在する場合、前記第１のスマート・アプライアンスが第１のアプライアンスグループ内のスマート・アプライアンスに対する管理権限を有すると確定するステップと、
をさらに含むことを特徴とする請求項１に記載のスマート・アプライアンスの管理アカウント設定方法。
【請求項４】
前記位置情報とアプライアンスグループの間の対応関係から第１のアプライアンスグループを取得する前に、
複数のスマート・アプライアンスから、少なくとも位置情報、及びアプライアンス識別子が含まれている識別子情報を受信するステップと、
位置情報に応じて、複数のスマート・アプライアンスを異なるアプライアンスグループに区分するステップと、
アプライアンス識別子、位置情報とアプライアンスグループの対応関係を記憶するステップと、
をさらに含むことを特徴とする請求項１に記載のスマート・アプライアンスの管理アカウント設定方法。
【請求項５】
前記第１のスマート・アプライアンス、及び第１のアプライアンスグループ内のスマート・アプライアンスに授権メッセージを送信した後、
前記第１のアプライアンスグループ内の何れかのスマート・アプライアンスである第３のスマート・アプライアンスから、前記第３のスマート・アプライアンスの位置情報が第１の位置情報から第２の位置情報に変更されたことを通知するための位置更新メッセージを受信するステップと、
前記位置更新メッセージに基づいて、前記第３のスマート・アプライアンスが属しているアプライアンスグループを、第１のアプライアンスグループから対応する位置情報が第２の位置情報である第２のアプライアンスグループに変更するステップと、
をさらに含むことを特徴とする請求項１に記載のスマート・アプライアンスの管理アカウント設定方法。
【請求項６】
前記位置更新メッセージに基づいて、前記第３のスマート・アプライアンスが属しているアプライアンスグループを第１のアプライアンスグループから第２のアプライアンスグループに変更した後、
前記第１のスマート・アプライアンスが前記第３のスマート・アプライアンスを前記第１のアプライアンスグループから削除するように通知するための通知メッセージを、前記第１のスマート・アプライアンスに送信するステップをさらに含むことを特徴とする請求項５に記載のスマート・アプライアンスの管理アカウント設定方法。
【請求項７】
前記第１のアプライアンスグループの管理アカウントに対して、管理パスワードを設定するステップをさらに含むことを特徴とする請求項１から６のいずれか１項に記載のスマート・アプライアンスの管理アカウント設定方法。
【請求項８】
サーバに少なくとも第１のスマート・アプライアンスの登録アカウント、及び第１の位置情報が含まれている権限取得要求を送信して、前記サーバが前記第１の位置情報に基づいて、位置情報とアプライアンスグループの間の対応関係から第１のアプライアンスグループを取得し、前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するようにするステップと、
前記サーバから、前記第１のアプライアンスグループの管理アカウントが前記第１のスマート・アプライアンスの登録アカウントであることを通知するための授権メッセージを受信するステップと、
前記第１のスマート・アプライアンスの登録アカウントに基づいて、前記第１のアプライアンスグループ内のスマート・アプライアンスを管理するステップと、
を含むことを特徴とするスマート・アプライアンスの管理アカウント設定方法。
【請求項９】
前記第１のスマート・アプライアンスの登録アカウントに基づいて、前記第１のアプライアンスグループ内のスマート・アプライアンスを管理した後、
サーバによって前記第１のアプライアンスグループ内の何れかのスマート・アプライアンスである第３のスマート・アプライアンスが属しているアプライアンスグループが第１のアプライアンスグループから第２のアプライアンスグループに変更された場合に送信される通知メッセージを、前記サーバから受信するステップと、
受信した通知メッセージに基づいて、前記第３のスマート・アプライアンスを前記第１のアプライアンスグループから削除するステップと、
をさらに含むことを特徴とする請求項８に記載のスマート・アプライアンスの管理アカウント設定方法。
【請求項１０】
第１のスマート・アプライアンスから、少なくとも前記第１のスマート・アプライアンスの登録アカウント、及び第１の位置情報が含まれている権限取得要求を受信するための第１の受信モジュールと、
前記第１の位置情報に基づいて、位置情報とアプライアンスグループの間の対応関係から第１のアプライアンスグループを取得するための取得モジュールと、
前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するための第１の設定モジュールと、
前記第１のスマート・アプライアンス、及び第１のアプライアンスグループ内のスマート・アプライアンスに、前記第１のアプライアンスグループの管理アカウントが前記第１のスマート・アプライアンスの登録アカウントであることを通知するための授権メッセージを送信して、前記第１のスマート・アプライアンス、及び前記第１のアプライアンスグループ内のスマート・アプライアンスが前記第１のスマート・アプライアンスの登録アカウントに基づいて前記第１のアプライアンスグループ内のスマート・アプライアンスを管理するようにするための第１の送信モジュールと、
を含むことを特徴とするサーバ。
【請求項１１】
前記権限取得要求には、前記第１のスマート・アプライアンスのアプライアンス識別子がさらに含まれ、
前記サーバは、
前記第１のスマート・アプライアンスのアプライアンス識別子、予め記憶されているアプライアンス識別子とアプライアンスグループの対応関係に基づいて、前記第１のスマート・アプライアンスが前記第１のアプライアンスグループに属しているか否かを判断するための判断モジュールと、
前記第１のスマート・アプライアンスが前記第１のアプライアンスグループに属している場合、前記第１のスマート・アプライアンスが第１のアプライアンスグループ内のスマート・アプライアンスに対する管理権限を有すると確定するための第１の確定モジュールと、
をさらに含むことを特徴とする請求項１０に記載のサーバ。
【請求項１２】
前記権限取得要求には、第２のスマート・アプライアンスのアプライアンス識別子がさらに含まれ、
前記サーバは、
第１のアプライアンスグループに前記第２のスマート・アプライアンスのアプライアンス識別子と同一のアプライアンス識別子が存在するか否かを検索するための検索モジュールと、
前記第１のアプライアンスグループに前記第２のスマート・アプライアンスのアプライアンス識別子と同一のアプライアンス識別子が存在する場合、前記第１のスマート・アプライアンスが第１のアプライアンスグループ内のスマート・アプライアンスに対する管理権限を有すると確定するための第２の確定モジュールと、
をさらに含むことを特徴とする請求項１０に記載のサーバ。
【請求項１３】
前記サーバは、
複数のスマート・アプライアンスから、少なくとも位置情報、及びアプライアンス識別子が含まれている識別子情報を受信するための第２の受信モジュールと、
位置情報に応じて、複数のスマート・アプライアンスを異なるアプライアンスグループに区分するための区分モジュールと、
アプライアンス識別子、位置情報とアプライアンスグループの対応関係を記憶するための記憶モジュールと、
をさらに含むことを特徴とする請求項１０に記載のサーバ。
【請求項１４】
前記サーバは、
前記第１のアプライアンスグループ内の何れかのスマート・アプライアンスである第３のスマート・アプライアンスから、前記第３のスマート・アプライアンスの位置情報が第１の位置情報から第２の位置情報に変更されたことを通知するための位置更新メッセージを受信するための第３の受信モジュールと、
前記位置更新メッセージに基づいて、前記第３のスマート・アプライアンスが属しているアプライアンスグループを、第１のアプライアンスグループから対応する位置情報が第２の位置情報である第２のアプライアンスグループに変更するための変更モジュールと、
をさらに含むことを特徴とする請求項１０に記載のサーバ。
【請求項１５】
前記サーバは、
前記第１のスマート・アプライアンスが前記第３のスマート・アプライアンスを前記第１のアプライアンスグループから削除するように通知するための通知メッセージを、前記第１のスマート・アプライアンスに送信するための第２の送信モジュールをさらに含むことを特徴とする請求項１４に記載のサーバ。
【請求項１６】
前記サーバは、
前記第１のアプライアンスグループの管理アカウントに対して管理パスワードを設定するための第２の設定モジュールをさらに含むことを特徴とする請求項１０から１５のいずれか１項に記載のサーバ。
【請求項１７】
サーバに少なくとも第１のスマート・アプライアンスの登録アカウント、及び第１の位置情報が含まれている権限取得要求を送信して、前記サーバが前記第１の位置情報に基づいて、位置情報とアプライアンスグループの間の対応関係から第１のアプライアンスグループを取得し、前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するようにするための送信モジュールと、
前記サーバから、前記第１のアプライアンスグループの管理アカウントが前記第１のスマート・アプライアンスの登録アカウントであることを通知するための授権メッセージを受信するための第１の受信モジュールと、
前記第１のスマート・アプライアンスの登録アカウントに基づいて、前記第１のアプライアンスグループ内のスマート・アプライアンスを管理するための管理モジュールと、
を含むことを特徴とするスマート・アプライアンス。
【請求項１８】
前記スマート・アプライアンスは、
サーバによって前記第１のアプライアンスグループ内の何れかのスマート・アプライアンスである第３のスマート・アプライアンスが属しているアプライアンスグループが第１のアプライアンスグループから第２のアプライアンスグループに変更された場合に送信される通知メッセージを、前記サーバから受信するための第２の受信モジュールと、
受信した通知メッセージに基づいて、前記第３のスマート・アプライアンスを前記第１のアプライアンスグループから削除するための削除モジュールと、
をさらに含むことを特徴とする請求項１７に記載のスマート・アプライアンス。
【請求項１９】
プロセッサと、
前記プロセッサにより実行可能な命令を記憶するためのメモリと、
を含み、
前記プロセッサは、
第１のスマート・アプライアンスから、少なくとも前記第１のスマート・アプライアンスの登録アカウント、及び第１の位置情報が含まれている権限取得要求を受信し、
前記第１の位置情報に基づいて、位置情報とアプライアンスグループの間の対応関係から第１のアプライアンスグループを取得し、
前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定し、
前記第１のスマート・アプライアンス、及び第１のアプライアンスグループ内のスマート・アプライアンスに、前記第１のアプライアンスグループの管理アカウントが前記第１のスマート・アプライアンスの登録アカウントであることを通知するための授権メッセージを送信して、前記第１のスマート・アプライアンス、及び前記第１のアプライアンスグループ内のスマート・アプライアンスが前記第１のスマート・アプライアンスの登録アカウントに基づいて前記第１のアプライアンスグループ内のスマート・アプライアンスを管理するように構成されることを特徴とするスマート・アプライアンスの管理アカウント設定装置。
【請求項２０】
プロセッサと、
前記プロセッサにより実行可能な命令を記憶するためのメモリと、
を含み、
前記プロセッサは、
サーバに少なくとも第１のスマート・アプライアンスの登録アカウント、及び第１の位置情報が含まれている権限取得要求を送信して、前記サーバが前記第１の位置情報に基づいて、位置情報とアプライアンスグループの間の対応関係から第１のアプライアンスグループを取得し、前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するようにし、
前記サーバから、前記第１のアプライアンスグループの管理アカウントが前記第１のスマート・アプライアンスの登録アカウントであることを通知するための授権メッセージを受信し、
前記第１のスマート・アプライアンスの登録アカウントに基づいて、前記第１のアプライアンスグループ内のスマート・アプライアンスを管理するように構成されることを特徴とするスマート・アプライアンスの管理アカウント設定装置。
【発明の詳細な説明】
【技術分野】
【０００１】
本発明は、端末の技術分野に関し、特に、スマート・アプライアンスの管理アカウント設定方法、及び装置に関する。
【背景技術】
【０００２】
科学技術の発展にしたがって、スマートテレビ、スマートオーディオ、スマートライトなどのスマート・アプライアンスを現代の生活の中でどこでも目にすることができる。スマート・アプライアンスの情報保安性を向上させるために、通常、各スマート・アプライアンスに対して１つの管理アカウントを設定し、ユーザは、何れかのスマート・アプライアンスを管理しようとする場合、当該スマート・アプライアンスに当該スマート・アプライアンスの管理アカウントを登録することによってスマート・アプライアンスを管理しなければならない。ユーザが複数のスマート・アプライアンスを管理しようとする場合、複数のスマート・アプライアンスに、それぞれ対応する管理アカウントを１つずつ登録する必要があり、このような過程は操作が複雑であり、ユーザの管理に大きな不便さをもたらす。スマート・アプライアンスに対するユーザの管理の便利性のために、簡易、高効率なスマート・アプライアンスの管理アカウント設定方法が必要である。
【発明の概要】
【０００３】
本発明は、関連技術に存在する問題を解決するために、スマート・アプライアンスの管理アカウント設定方法、及び装置を提供する。
【０００４】
本発明の実施例の第１の態様によれば、スマート・アプライアンスの管理アカウント設定方法を提供し、上記方法は、
第１のスマート・アプライアンスから、少なくとも前記第１のスマート・アプライアンスの登録アカウント、及び第１の位置情報が含まれている権限取得要求を受信するステップと、
前記第１の位置情報に基づいて、位置情報とアプライアンスグループの間の対応関係から第１のアプライアンスグループを取得するステップと、
前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するステップと、
前記第１のスマート・アプライアンス、及び第１のアプライアンスグループ内のスマート・アプライアンスに、前記第１のアプライアンスグループの管理アカウントが前記第１のスマート・アプライアンスの登録アカウントであることを通知するための授権メッセージを送信して、前記第１のスマート・アプライアンス、及び前記第１のアプライアンスグループ内のスマート・アプライアンスが前記第１のスマート・アプライアンスの登録アカウントに基づいて前記第１のアプライアンスグループ内のスマート・アプライアンスを管理するようにするステップと、を含む。
【０００５】
好ましくは、前記権限取得要求には、前記第１のスマート・アプライアンスのアプライアンス識別子がさらに含まれ、
前記第１のアプライアンスグループを取得した後、前記方法は、
前記第１のスマート・アプライアンスのアプライアンス識別子、予め記憶されているアプライアンス識別子とアプライアンスグループの対応関係に基づいて、前記第１のスマート・アプライアンスが前記第１のアプライアンスグループに属しているか否かを判断するステップと、
前記第１のスマート・アプライアンスが前記第１のアプライアンスグループに属している場合、前記第１のスマート・アプライアンスが第１のアプライアンスグループ内のスマート・アプライアンスに対する管理権限を有すると確定するステップと、をさらに含む。
【０００６】
好ましくは、前記権限取得要求には、第２のスマート・アプライアンスのアプライアンス識別子がさらに含まれ、
前記第１のアプライアンスグループを取得した後、前記方法は、
第１のアプライアンスグループに前記第２のスマート・アプライアンスのアプライアンス識別子と同一のアプライアンス識別子が存在するか否かを検索するステップと、
前記第１のアプライアンスグループに前記第２のスマート・アプライアンスのアプライアンス識別子と同一のアプライアンス識別子が存在する場合、前記第１のスマート・アプライアンスが第１のアプライアンスグループ内のスマート・アプライアンスに対する管理権限を有すると確定するステップと、をさらに含む。
【０００７】
好ましくは、前記位置情報とアプライアンスグループの間の対応関係から第１のアプライアンスグループを取得する前に、
複数のスマート・アプライアンスから、少なくとも位置情報、及びアプライアンス識別子が含まれている識別子情報を受信するステップと、
位置情報に応じて、複数のスマート・アプライアンスを異なるアプライアンスグループに区分するステップと、
アプライアンス識別子、位置情報とアプライアンスグループの対応関係を記憶するステップと、をさらに含む。
【０００８】
好ましくは、前記第１のスマート・アプライアンス、及び第１のアプライアンスグループ内のスマート・アプライアンスに授権メッセージを送信した後、
前記第１のアプライアンスグループ内の何れかのスマート・アプライアンスである第３のスマート・アプライアンスから、前記第３のスマート・アプライアンスの位置情報が第１の位置情報から第２の位置情報に変更されたことを通知するための位置更新メッセージを受信するステップと、
前記位置更新メッセージに基づいて、前記第３のスマート・アプライアンスが属しているアプライアンスグループを、第１のアプライアンスグループから対応する位置情報が第２の位置情報である第２のアプライアンスグループに変更するステップと、をさらに含む。
【０００９】
好ましくは、前記位置更新メッセージに基づいて、前記第３のスマート・アプライアンスが属しているアプライアンスグループを第１のアプライアンスグループから第２のアプライアンスグループに変更した後、
前記第１のスマート・アプライアンスが前記第３のスマート・アプライアンスを前記第１のアプライアンスグループから削除するように通知するための通知メッセージを、前記第１のスマート・アプライアンスに送信するステップをさらに含む。
【００１０】
好ましくは、前記方法は、
前記第１のアプライアンスグループの管理アカウントに対して、管理パスワードを設定するステップをさらに含む。
【００１１】
本発明の実施例の第２の態様によれば、スマート・アプライアンスの管理アカウント設定方法を提供し、上記方法は、
サーバに少なくとも第１のスマート・アプライアンスの登録アカウント、及び第１の位置情報が含まれている権限取得要求を送信して、前記サーバが前記第１の位置情報に基づいて、位置情報とアプライアンスグループの間の対応関係から第１のアプライアンスグループを取得し、前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するようにするステップと、
前記サーバから、前記第１のアプライアンスグループの管理アカウントが前記第１のスマート・アプライアンスの登録アカウントであることを通知するための授権メッセージを受信するステップと、
前記第１のスマート・アプライアンスの登録アカウントに基づいて、前記第１のアプライアンスグループ内のスマート・アプライアンスを管理するステップと、を含む。
【００１２】
好ましくは、前記第１のスマート・アプライアンスの登録アカウントに基づいて、前記第１のアプライアンスグループ内のスマート・アプライアンスを管理した後、
サーバによって前記第１のアプライアンスグループ内の何れかのスマート・アプライアンスである第３のスマート・アプライアンスが属しているアプライアンスグループが第１のアプライアンスグループから第２のアプライアンスグループに変更された場合に送信される通知メッセージを、前記サーバから受信するステップと、
受信した通知メッセージに基づいて、前記第３のスマート・アプライアンスを前記第１のアプライアンスグループから削除するステップと、をさらに含む。
【００１３】
本発明の実施例の第３の態様によれば、サーバを提供し、上記サーバは、
第１のスマート・アプライアンスから、少なくとも前記第１のスマート・アプライアンスの登録アカウント、及び第１の位置情報が含まれている権限取得要求を受信するための第１の受信モジュールと、
前記第１の位置情報に基づいて、位置情報とアプライアンスグループの間の対応関係から第１のアプライアンスグループを取得するための取得モジュールと、
前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するための第１の設定モジュールと、
前記第１のスマート・アプライアンス、及び第１のアプライアンスグループ内のスマート・アプライアンスに、前記第１のアプライアンスグループの管理アカウントが前記第１のスマート・アプライアンスの登録アカウントであることを通知するための授権メッセージを送信して、前記第１のスマート・アプライアンス、及び前記第１のアプライアンスグループ内のスマート・アプライアンスが前記第１のスマート・アプライアンスの登録アカウントに基づいて前記第１のアプライアンスグループ内のスマート・アプライアンスを管理するようにするための第１の送信モジュールと、を含む。
【００１４】
好ましくは、前記権限取得要求には、前記第１のスマート・アプライアンスのアプライアンス識別子がさらに含まれ、
前記サーバは、
前記第１のスマート・アプライアンスのアプライアンス識別子、予め記憶されているアプライアンス識別子とアプライアンスグループの対応関係に基づいて、前記第１のスマート・アプライアンスが前記第１のアプライアンスグループに属しているか否かを判断するための判断モジュールと、
前記第１のスマート・アプライアンスが前記第１のアプライアンスグループに属している場合、前記第１のスマート・アプライアンスが第１のアプライアンスグループ内のスマート・アプライアンスに対する管理権限を有すると確定するための第１の確定モジュールと、をさらに含む。
【００１５】
好ましくは、前記権限取得要求には、第２のスマート・アプライアンスのアプライアンス識別子がさらに含まれ、
前記サーバは、
第１のアプライアンスグループに前記第２のスマート・アプライアンスのアプライアンス識別子と同一のアプライアンス識別子が存在するか否かを検索するための検索モジュールと、
前記第１のアプライアンスグループに前記第２のスマート・アプライアンスのアプライアンス識別子と同一のアプライアンス識別子が存在する場合、前記第１のスマート・アプライアンスが第１のアプライアンスグループ内のスマート・アプライアンスに対する管理権限を有すると確定するための第２の確定モジュールと、をさらに含む。
【００１６】
好ましくは、前記サーバは、
複数のスマート・アプライアンスから、少なくとも位置情報、及びアプライアンス識別子が含まれている識別子情報を受信するための第２の受信モジュールと、
位置情報に応じて、複数のスマート・アプライアンスを異なるアプライアンスグループに区分するための区分モジュールと、
アプライアンス識別子、位置情報とアプライアンスグループの対応関係を記憶するための記憶モジュールと、をさらに含む。
【００１７】
好ましくは、前記サーバは、
前記第１のアプライアンスグループ内の何れかのスマート・アプライアンスである第３のスマート・アプライアンスから、前記第３のスマート・アプライアンスの位置情報が第１の位置情報から第２の位置情報に変更されたことを通知するための位置更新メッセージを受信するための第３の受信モジュールと、
前記位置更新メッセージに基づいて、前記第３のスマート・アプライアンスが属しているアプライアンスグループを、第１のアプライアンスグループから対応する位置情報が第２の位置情報である第２のアプライアンスグループに変更するための変更モジュールと、をさらに含む。
【００１８】
好ましくは、前記サーバは、
前記第１のスマート・アプライアンスが前記第３のスマート・アプライアンスを前記第１のアプライアンスグループから削除するように通知するための通知メッセージを、前記第１のスマート・アプライアンスに送信するための第２の送信モジュールをさらに含む。
【００１９】
好ましくは、前記サーバは、
前記第１のアプライアンスグループの管理アカウントに対して管理パスワードを設定するための第２の設定モジュールをさらに含む。
【００２０】
本発明の実施例の第４の態様によれば、スマート・アプライアンスを提供し、上記スマート・アプライアンスは、
サーバに少なくとも第１のスマート・アプライアンスの登録アカウント、及び第１の位置情報が含まれている権限取得要求を送信して、前記サーバが前記第１の位置情報に基づいて、位置情報とアプライアンスグループの間の対応関係から第１のアプライアンスグループを取得し、前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するようにするための送信モジュールと、
前記サーバから、前記第１のアプライアンスグループの管理アカウントが前記第１のスマート・アプライアンスの登録アカウントであることを通知するための授権メッセージを受信するための第１の受信モジュールと、
前記第１のスマート・アプライアンスの登録アカウントに基づいて、前記第１のアプライアンスグループ内のスマート・アプライアンスを管理するための管理モジュールと、を含む。
【００２１】
好ましくは、前記スマート・アプライアンスは、
サーバによって前記第１のアプライアンスグループ内の何れかのスマート・アプライアンスである第３のスマート・アプライアンスが属しているアプライアンスグループが第１のアプライアンスグループから第２のアプライアンスグループに変更された場合に送信される通知メッセージを、前記サーバから受信するための第２の受信モジュールと、
受信した通知メッセージに基づいて、前記第３のスマート・アプライアンスを前記第１のアプライアンスグループから削除するための削除モジュールと、をさらに含む。
【００２２】
本発明の実施例の第５の態様によれば、スマート・アプライアンスの管理アカウント設定装置を提供し、上記スマート・アプライアンスの管理アカウント設定装置は、
プロセッサと、
前記プロセッサにより実行可能な命令を記憶するためのメモリと、
を含み、
前記プロセッサは、
第１のスマート・アプライアンスから、少なくとも前記第１のスマート・アプライアンスの登録アカウント、及び第１の位置情報が含まれている権限取得要求を受信し、
前記第１の位置情報に基づいて、位置情報とアプライアンスグループの間の対応関係から第１のアプライアンスグループを取得し、
前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定し、
前記第１のスマート・アプライアンス、及び第１のアプライアンスグループ内のスマート・アプライアンスに、前記第１のアプライアンスグループの管理アカウントが前記第１のスマート・アプライアンスの登録アカウントであることを通知するための授権メッセージを送信して、前記第１のスマート・アプライアンス、及び前記第１のアプライアンスグループ内のスマート・アプライアンスが前記第１のスマート・アプライアンスの登録アカウントに基づいて前記第１のアプライアンスグループ内のスマート・アプライアンスを管理するように構成される。
【００２３】
本発明の実施例の第６の態様によれば、スマート・アプライアンスの管理アカウント設定装置を提供し、上記スマート・アプライアンスの管理アカウント設定装置は、
プロセッサと、
前記プロセッサにより実行可能な命令を記憶するためのメモリと、
を含み、
前記プロセッサは、
サーバに少なくとも第１のスマート・アプライアンスの登録アカウント、及び第１の位置情報が含まれている権限取得要求を送信して、前記サーバが前記第１の位置情報に基づいて、位置情報とアプライアンスグループの間の対応関係から第１のアプライアンスグループを取得し、前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するようにし、
前記サーバから、前記第１のアプライアンスグループの管理アカウントが前記第１のスマート・アプライアンスの登録アカウントであることを通知するための授権メッセージを受信し、
前記第１のスマート・アプライアンスの登録アカウントに基づいて、前記第１のアプライアンスグループ内のスマート・アプライアンスを管理するように構成される。
【００２４】
本発明の実施例に係る提案は、下記の有益な効果を有する。
【００２５】
第１のアプライアンスグループ内のスマート・アプライアンスに対する第１のスマート・アプライアンスの管理権限が確定されると、第１のスマート・アプライアンスの登録アカウントを第１のアプライアンスグループの管理アカウントに設定することによって、ユーザが第１のスマート・アプライアンスに第１のスマート・アプライアンスの登録アカウントを登録することで、第１のアプライアンスグループ内の複数のスマート・アプライアンスに対する管理を実現するようにし、スマート・アプライアンスに対する管理をより簡易、より高効率にする。
【００２６】
以上の一般的な記述と、以下の詳細の記述は、ただ例示的なものであって、本発明を限定するものではないことを理解すべきである。
【図面の簡単な説明】
【００２７】
ここの図面は、明細書に組み入れて本明細書の一部分を構成し、本発明に該当する実施例を例示するとともに、明細書とともに本発明の原理を解釈するために用いられる。
【図１】１つの例示的な実施例に係るスマート・アプライアンスの管理アカウント設定方法のフローチャートである。
【図２】１つの例示的な実施例に係るスマート・アプライアンスの管理アカウント設定方法のフローチャートである。
【図３】１つの例示的な実施例に係るスマート・アプライアンスの管理アカウント設定方法のフローチャートである。
【図４】１つの例示的な実施例に係るスマート・アプライアンスの管理アカウント設定方法のフローチャートである。
【図５】１つの例示的な実施例に係るサーバの構成模式図である。
【図６】１つの例示的な実施例に係るスマート・アプライアンスの構成模式図である。
【図７】１つの例示的な実施例に係るスマート・アプライアンスの管理アカウント設定装置のブロック図である。
【図８】１つの例示的な実施例に係るスマート・アプライアンスの管理アカウント設定装置のブロック図である。
【発明を実施するための形態】
【００２８】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００２９】
図１は、１つの例示的な実施例に係るスマート・アプライアンスの管理アカウント設定方法のフローチャートであり、図１に示されたように、スマート・アプライアンスの管理アカウント設定方法はサーバに適用され、下記のステップを含む。
【００３０】
ステップ１０１において、第１のスマート・アプライアンスから、少なくとも第１のスマート・アプライアンスの登録アカウント、及び第１の位置情報が含まれている権限取得要求を受信する。
【００３１】
ステップ１０２において、第１の位置情報に基づいて、位置情報とアプライアンスグループの間の対応関係から第１のアプライアンスグループを取得する。
【００３２】
ステップ１０３において、第１のスマート・アプライアンスが第１のアプライアンスグループ内のスマート・アプライアンスに対する管理権限を有すると確定した場合、第１のスマート・アプライアンスの登録アカウントを第１のアプライアンスグループの管理アカウントに設定する。
【００３３】
ステップ１０４において、第１のスマート・アプライアンス、及び第１のアプライアンスグループ内のスマート・アプライアンスに、第１のアプライアンスグループの管理アカウントが第１のスマート・アプライアンスの登録アカウントであることを通知するための授権メッセージを送信して、第１のスマート・アプライアンス、及び第１のアプライアンスグループ内のスマート・アプライアンスが第１のスマート・アプライアンスの登録アカウントに基づいて第１のアプライアンスグループ内のスマート・アプライアンスを管理するようにする。
【００３４】
本発明の実施例に係る方法によれば、第１のアプライアンスグループ内のスマート・アプライアンスに対する第１のスマート・アプライアンスの管理権限を確定した場合、第１のスマート・アプライアンスの登録アカウントを第１のアプライアンスグループの管理アカウントに設定することによって、ユーザが第１のスマート・アプライアンスに第１のスマート・アプライアンスの登録アカウントを登録することで、第１のアプライアンスグループ内の複数のスマート・アプライアンスに対する管理を実現するようにし、スマート・アプライアンスに対する管理をより簡易、より高効率にする。
【００３５】
本発明の別の実施例において、権限取得要求には、第１のスマート・アプライアンスのアプライアンス識別子がさらに含まれ、
第１のアプライアンスグループを取得した後、上記方法は、
第１のスマート・アプライアンスのアプライアンス識別子、予め記憶されているアプライアンス識別子とアプライアンスグループの対応関係に基づいて、第１のスマート・アプライアンスが第１のアプライアンスグループに属しているか否かを判断するステップと、
第１のスマート・アプライアンスが第１のアプライアンスグループに属している場合、第１のスマート・アプライアンスが第１のアプライアンスグループ内のスマート・アプライアンスに対する管理権限を有すると確定するステップと、をさらに含む。
【００３６】
本発明の別の実施例において、権限取得要求には、第２のスマート・アプライアンスのアプライアンス識別子がさらに含まれ、
第１のアプライアンスグループを取得した後、上記方法は、
第１のアプライアンスグループに第２のスマート・アプライアンスのアプライアンス識別子と同一のアプライアンス識別子が存在するか否かを検索するステップと、
第１のアプライアンスグループに第２のスマート・アプライアンスのアプライアンス識別子と同一のアプライアンス識別子が存在する場合、第１のスマート・アプライアンスが第１のアプライアンスグループ内のスマート・アプライアンスに対する管理権限を有すると確定するステップと、をさらに含む。
【００３７】
本発明の別の実施例において、位置情報とアプライアンスグループの間の対応関係から第１のアプライアンスグループを取得する前に、
複数のスマート・アプライアンスから、少なくとも位置情報とアプライアンス識別子が含まれている識別子情報を受信するステップと、
位置情報に応じて、複数のスマート・アプライアンスを異なるアプライアンスグループに区分するステップと、
アプライアンス識別子、位置情報とアプライアンスグループの対応関係を記憶するステップと、をさらに含む。
【００３８】
本発明の別の実施例において、第１のスマート・アプライアンス、及び第１のアプライアンスグループ内のスマート・アプライアンスに授権メッセージを送信した後、
第１のアプライアンスグループ内の何れかのスマート・アプライアンスである第３のスマート・アプライアンスから、第３のスマート・アプライアンスの位置情報が第１の位置情報から第２の位置情報に変更されたことを通知するための位置更新メッセージを受信するステップと、
位置更新メッセージに基づいて、第３のスマート・アプライアンスが属しているアプライアンスグループを、第１のアプライアンスグループから対応する位置情報が第２の位置情報である第２のアプライアンスグループに変更するステップと、をさらに含む。
【００３９】
本発明の別の実施例において、位置更新メッセージに基づいて、第３のスマート・アプライアンスが属しているアプライアンスグループを第１のアプライアンスグループから第２のアプライアンスグループに変更した後、
第１のスマート・アプライアンスが第３のスマート・アプライアンスを第１のアプライアンスグループから削除するように通知するための通知メッセージを、第１のスマート・アプライアンスに送信するステップをさらに含む。
【００４０】
本発明の別の実施例において、上記方法は、
第１のアプライアンスグループの管理アカウントに対して、管理パスワードを設定するステップをさらに含む。
【００４１】
上記すべての選択的な提案は任意に組み合わせられて本発明の選択的な実施例を構成し、ここで詳しく述べない。
【００４２】
図２は、１つの例示的な実施例に係るスマート・アプライアンスの管理アカウント設定方法のフローチャートであり、図２に示されたように、スマート・アプライアンスの管理アカウント設定方法は、スマート・アプライアンスに適用され、下記のステップを含む。
【００４３】
ステップ２０１において、サーバに、少なくとも第１のスマート・アプライアンスの登録アカウント、及び第１の位置情報が含まれている権限取得要求を送信して、サーバが第１の位置情報に基づいて、位置情報とアプライアンスグループの間の対応関係から第１のアプライアンスグループを取得し、第１のスマート・アプライアンスが第１のアプライアンスグループ内のスマート・アプライアンスに対する管理権限を有すると確定した場合、第１のスマート・アプライアンスの登録アカウントを第１のアプライアンスグループの管理アカウントに設定するようにする。
【００４４】
ステップ２０２において、サーバから、第１のアプライアンスグループの管理アカウントが第１のスマート・アプライアンスの登録アカウントであることを通知するための授権メッセージを受信する。
【００４５】
ステップ２０３において、第１のスマート・アプライアンスの登録アカウントに基づいて、第１のアプライアンスグループ内のスマート・アプライアンスを管理する。
【００４６】
本発明の実施例に係る方法によれば、サーバに、少なくとも第１のスマート・アプライアンスの登録アカウント、及び第１の位置情報が含まれている権限取得要求を送信して、サーバによって第１のアプライアンスグループ内のスマート・アプライアンスに対する第１のスマート・アプライアンスの管理権限が確定され、第１のスマート・アプライアンスの登録アカウントが第１のアプライアンスグループの管理アカウントに設定された後、サーバから送信された授権メッセージを受信することによって、ユーザが第１のスマート・アプライアンスに第１のスマート・アプライアンスの登録アカウントを登録することで、第１のアプライアンスグループ内の複数のスマート・アプライアンスに対する管理を実現するようにし、スマート・アプライアンスに対する管理をより簡易、より高効率にする。
【００４７】
本発明の別の実施例において、第１のスマート・アプライアンスの登録アカウントに基づいて、第１のアプライアンスグループ内のスマート・アプライアンスを管理した後、
サーバによって第１のアプライアンスグループ内の何れかのスマート・アプライアンスである第３のスマート・アプライアンスが属しているアプライアンスグループが第１のアプライアンスグループから第２のアプライアンスグループに変更された場合に送信される通知メッセージを、サーバから受信するステップと、
受信した通知メッセージに基づいて、第３のスマート・アプライアンスを第１のアプライアンスグループから削除するステップと、をさらに含む。
【００４８】
上記すべての選択的な提案は任意に組み合わせられて本発明の選択的な実施例を構成し、ここでいちいち述べない。
【００４９】
図３は、１つの例示的な実施例に係るスマート・アプライアンスの管理アカウント設定方法のフローチャートであり、図３に示されたように、スマート・アプライアンスの管理アカウント設定方法は、スマート・アプライアンスに適用され、スマート・アプライアンスがスマートテレビ、スマート冷蔵庫、スマート洗濯機などのホームアプライアンスである場合を例にする。本発明の実施例に係る方法は、下記のステップを含む。
【００５０】
ステップ３０１において、第１のスマート・アプライアンスは、サーバに少なくとも第１のスマート・アプライアンスの登録アカウント、第１の位置情報、及びアプライアンス識別子が含まれている権限取得要求を送信する。
【００５１】
本実施例において、スマート・アプライアンスは、ＲＦ方式、またはネットワーク方式で他のアプライアンスと通信する機能を有する。このような機能によって、スマート・アプライアンスは、オン（ＯＮ）状態でＬＡＮに接続することができ、ＬＡＮのその他のスマート・アプライアンスと通信することができる。
【００５２】
実際の応用において、スマート・アプライアンスがＬＡＮに接続するケースは、下記の２つのケースを含むが、これらに限定されない。
【００５３】
第１のケース：スマート・アプライアンスは、ＷｉＦｉ（Ｗｉｒｅｌｅｓｓ−Ｆｉｄｅｌｉｔｙ）機能をオン（ＯＮ）させ、ＤＬＮＡ（Ｄｉｇｉｔａｌ Ｌｉｖｉｎｇ Ｎｅｔｗｏｒｋ Ａｌｌｉａｎｃｅ：デジタルリビングネットワークアライアンス）、Ｗｉ−Ｆｉディスプレイ（ＷｉＦｉ ｄｉｓｐｌａｙ）、エアプレイ（ａｉｒｐｌａｙ）、ａｉｒｋａｎなどのプロトコルを通じてルータに接続し、ルータを通じてＬＡＮに接続する。
【００５４】
第２のケース：スマート・アプライアンスは、受信したＧＰＲＳ（Ｇｅｎｅｒａｌ Ｐａｃｋｅｔ Ｒａｄｉｏ Ｓｅｒｖｉｃｅ）、または３Ｇ信号をＷｉＦｉ信号に変換してから送信し、その他のスマート・アプライアンスは、当該スマート・アプライアンスから送信されたＷｉＦｉ信号を受信し、当該ＷｉＦｉ信号を通じて互いに通信する。当該過程において、ＷｉＦｉ信号を受信した複数のスマート・アプライアンスは、１つのＬＡＮを構成する。
【００５５】
ＬＡＮ内の各スマート・アプライアンスを区別するために、本実施例では、ＬＡＮ内のユーザが現在使用しているスマート・アプライアンスを第１のスマート・アプライアンスと呼び、当該第１のスマート・アプライアンスは、ＬＡＮに新たにアクセスしたスマート・アプライアンスであってもよく、ＬＡＮ内の既存のスマート・アプライアンスであってもよく、本実施例では、第１のスマート・アプライアンスがＬＡＮに新たにアクセスしたスマート・アプライアンスである場合を例として説明する、という点に留意すべきである。また、本実施例では、第１のスマート・アプライアンスがサーバに権限取得要求を送信する際に権限取得要求に含まれている他のアプライアンス識別子に対応するスマート・アプライアンスを第２のスマート・アプライアンスと呼び、第１のアプライアンスグループ内のいずれかのスマート・アプライアンスを第３のスマート・アプライアンスと呼ぶ。
【００５６】
本実施例において、第１のスマート・アプライアンスがＬＡＮに接続されると、第１のスマート・アプライアンスは、ＬＡＮで少なくとも第１のスマート・アプライアンスの第１の身分識別子情報が含まれている第１のメッセージをブロードキャストする。ここで、第１の身分識別子情報は、ＬＡＮ内のスマート・アプライアンスが第１のスマート・アプライアンスの身分を検証するようにするためのものであり、当該第１の身分識別子情報は、第１のスマート・アプライアンスの公認認証書などでありうる。受信した第１のメッセージに基づいて、第１のスマート・アプライアンスがＬＡＮ内の何れかのスマート・アプライアンスの検証をパスした場合、第１のスマート・アプライアンスが当該スマート・アプライアンスの信頼できるアプライアンスであることを意味し、この場合、当該スマート・アプライアンスは、第１のスマート・アプライアンスにその身分を表示するための第２の身分識別子情報を送信する。第１のスマート・アプライアンスは、第２の身分識別子情報を受信すると、受信した第２の身分識別子情報に基づいて、当該スマート・アプライアンスを検証する。当該スマート・アプライアンスが第１のスマート・アプライアンスの検証をパスした場合、当該スマート・アプライアンスが第１のスマート・アプライアンスの信頼できるアプライアンスであることを意味する。即ち、当該スマート・アプライアンスと第１のスマート・アプライアンスは互いに信頼できるアプライアンスである。
【００５７】
本実施例において、ユーザは、スマート・アプライアンスがルータを通じてＬＡＮに接続される前に、ルータの設定画面に、信頼できるアプライアンスのアプライアンス識別子を予め入力することができる。何れかのスマート・アプライアンスがルータを通じてＬＡＮに接続すると、ルータは、当該スマート・アプライアンスのアプライアンス識別子が信頼できるアプライアンスのアプライアンス識別子であることを取得してルート公認認証書を生成し、生成したルート公認認証書を当該スマート・アプライアンスに送信する。この過程において、ＬＡＮに接続された複数のスマート・アプライアンスが互いに信頼できるスマート・アプライアンスである場合、ルータがこのようなスマート・アプライアンスに送信するルート公認認証書は同じである。したがって、上記内容に基づいて、第１のスマート・アプライアンスは、第２の身分識別子情報を送信したスマート・アプライアンスを検証するとき、受信した第２の身分識別子情報に含まれているルート公認認証書とローカルに記憶されているルート公認認証書をマッチングさせ、第２の身分識別子情報に含まれているルート公認認証書がローカルに記憶されているルート公認認証書と同じである場合、当該スマート・アプライアンスが第１のスマート・アプライアンスの検証をパスしたと確定する。
【００５８】
第１のスマート・アプライアンスがＬＡＮ内の少なくとも１つのスマート・アプライアンスと互いに信頼できるアプライアンスであると確定した場合、第１のスマート・アプライアンスは、自分のアプライアンス情報を各信頼できるアプライアンスに送信し、これとともに、各信頼できるスマート・アプライアンスも自分のアプライアンス情報を第１のスマート・アプライアンスに送信する。ここで、アプライアンス情報には、少なくとも描写情報、及び複数の配置オプションが含まれ、且つ、各配置オプションは、複数の配置パラメーターを含む。描写情報は、主にスマート・アプライアンスの特徴を描写するためのものであり、描写情報は、スマート・アプライアンスのアプライアンス名称、機種などであってもよく、本実施例において、描写情報は修正できないものである。配置オプションは、主にスマート・アプライアンスの機能を設定するためのものであり、異なるスマート・アプライアンスの配置オプションは異なる。スマート・アプライアンスがスマートテレビである場合を例にすると、配置オプションは、コントラストオプション、輝度オプション、音声オプションなどであり得る。本実施例において、配置オプションは修正できるものである。
【００５９】
上記過程は、第１のスマート・アプライアンスがＬＡＮ内で信頼できるスマート・アプライアンスを識別し、その信頼できるスマート・アプライアンスのアプライアンス情報を取得する過程であり、当該過程において、第１のスマート・アプライアンスがＬＡＮで信頼できるスマート・アプライアンスのアプライアンス情報を取得したとしても、各スマート・アプライアンスの管理アカウントが異なるため、第１のスマート・アプライアンスの登録アカウントは、その他のスマート・アプライアンスに対する管理権限を有しない。すなわち、ユーザが第１のスマート・アプライアンスに第１のスマート・アプライアンスの登録アカウントを登録することによって、第１のスマート・アプライアンスの管理センター画面にその信頼できるスマート・アプライアンスのアプライアンス情報が表示されるとしても、ユーザは、第１のスマート・アプライアンスでその信頼できるスマート・アプライアンスを管理することができない。ＬＡＮ内のその信頼できるスマート・アプライアンスを管理するために、第１のスマート・アプライアンスは、サーバからその信頼できるスマート・アプライアンスに対する管理権限を取得しなければならなく、このために、第１のスマート・アプライアンスは、サーバに少なくとも第１のスマート・アプライアンスの登録アカウント、第１の位置情報、及びアプライアンス識別子などが含まれている権限取得要求を送信することができる。ここで、第１のスマート・アプライアンスの登録アカウントは、ユーザが現在第１のスマート・アプライアンスに登録する時の登録アカウントであってもよく、ユーザが第１のスマート・アプライアンスに登録したことのある登録アカウントであってもよく、本実施例では第１のスマート・アプライアンスの登録アカウントに対して具体的に限定しない。第１の位置情報は、第１のスマート・アプライアンスが現在属しているＬＡＮを識別するためのものであり、当該第１の位置情報は、第１のスマート・アプライアンスが現在位置する地理位置であってもよく、第１のスマート・アプライアンスが現在使用しているＷｉＦｉホットスポット情報などであってもよい。第１のスマート・アプライアンスのアプライアンス識別子は、第１のスマート・アプライアンスのＩＤ（Ｉｄｅｎｔｉｔｙ）、第１のスマート・アプライアンスのシリアルナンバーなどであり得る。
【００６０】
ステップ３０２において、サーバは、第１のスマート・アプライアンスから送信された権限取得要求を受信すると、第１の位置情報に基づいて、位置情報とアプライアンスグループの間の対応関係から第１のアプライアンスグループを取得する。
【００６１】
通信分野において、各スマート・アプライアンスは、ＬＡＮに接続した後、いずれもサーバに少なくともスマート・アプライアンスの位置情報、及びアプライアンス識別子などが含まれている識別子情報を送信する。サーバは、各スマート・アプライアンスに対する管理の利便性のために、各スマート・アプライアンスから送信された識別子情報を受信すると、位置情報に応じて、複数のスマート・アプライアンスを異なるアプライアンスグループに区分する。スマート・アプライアンスの区分によって、同一のアプライアンスグループ内のスマート・アプライアンスの位置情報は同一のものになり、異なるアプライアンスグループ内のスマート・アプライアンスの位置情報は異なるものになる。即ち、同一のＬＡＮ内のスマート・アプライアンスが１つのアプライアンスグループを構成する。また、アプライアンスグループ内の各スマート・アプライアンスがいずれもアプライアンス識別子を有し、アプライアンス識別子とアプライアンスグループが一対一に対応するため、アプライアンス識別子、位置情報、及びアプライアンスグループの間には対応関係が存在する。後続の応用の便利性のために、サーバは、さらにアプライアンス識別子、位置情報、及びアプライアンスグループの対応関係を記憶する。
【００６２】
サーバは、アプライアンス識別子、位置情報、及びアプライアンスグループの対応関係を記憶した後、複数のスマート・アプライアンスから送信される識別子情報を受信し、当該識別子情報に含まれている位置情報とサーバに既に記憶されているアプライアンスグループの位置情報が異なるとしても、このようなスマート・アプライアンスのＩＤ、またはシリアルナンバーが既存のアプライアンスグループ内のスマート・アプライアンスのＩＤ、またはシリアルナンバーと大部分重なり、この場合、新しいアプライアンスグループを新たに生成する必要がなく、本来のアプライアンスグループを引き続き使用することができる、という点に留意すべきである。例えば、ユーザのホームルータに故障が発生してユーザが新しいルータをインストールした場合、ユーザのホームスマート・アプライアンスは、新しいＬＡＮに接続することになるため、サーバに識別子情報を新たに送信し、この場合、サーバは、ユーザのホームの本来のスマート・アプライアンスを依然として本来のアプライアンスグループに区分する。また、サーバが位置情報に基づいて１つのスマート・アプライアンスを１つのアプライアンスグループに区分した後、当該スマート・アプライアンスの位置情報が変わらない限り、またはユーザが当該スマート・アプライアンスをアプライアンスグループから削除しない限り、当該スマート・アプライアンスがオンライン状態にあるか否かと関係なく、当該スマート・アプライアンスが属しているアプライアンスグループは変更されない。
【００６３】
サーバは、記憶されているアプライアンス識別子、位置情報とアプライアンスグループの対応関係に基づいて、第１のスマート・アプライアンスから送信された権限取得要求を受信すると、第１の位置情報によって、位置情報とアプライアンスグループの対応関係から第１の位置情報に対応する第１のアプライアンスグループを取得する。
【００６４】
ステップ３０３において、サーバは、第１のスマート・アプライアンスのアプライアンス識別子、予め記憶されているアプライアンス識別子とアプライアンスグループの対応関係に基づいて、第１のスマート・アプライアンスが第１のアプライアンスグループに属しているか否かを判断し、ＹＥＳの場合、ステップ３０４を実行し、ＮＯの場合、第１のスマート・アプライアンスから送信された権限取得要求を無視する。
【００６５】
第１のアプライアンスグループ内のスマート・アプライアンスの情報保安性を高め、他の信頼できないスマート・アプライアンスが第１のアプライアンスグループが属しているＬＡＮに接続した後に第１のアプライアンスグループ内のスマート・アプライアンスを管理することを防止するために、サーバは、第１のスマート・アプライアンスから送信された権限取得要求を受信し、第１の位置情報に基づいて対応する第１のアプライアンスグループを取得した後、さらに第１のスマート・アプライアンスが第１のアプライアンスグループに属しているか否かを判断する。第１のスマート・アプライアンスが第１のアプライアンスグループに属している場合、第１のスマート・アプライアンスと第１のアプライアンスグループ内のスマート・アプライアンスが互いに信頼できるスマート・アプライアンスであることを意味し、この場合、サーバは、第１のスマート・アプライアンスに第１のアプライアンスグループ内のスマート・アプライアンスに対する管理権限を付与する。第１のスマート・アプライアンスが第１のアプライアンスグループに属していない場合、第１のスマート・アプライアンスと第１のアプライアンスグループ内のスマート・アプライアンスが互いに信頼できないスマート・アプライアンスであることを意味し、この場合、サーバは、第１のスマート・アプライアンスから送信された権限取得要求を無視してもよく、第１のスマート・アプライアンスから送信された権限取得要求を拒絶し、第１のスマート・アプライアンスに「当該アプライアンスの保安性が低くて、アプライアンスグループ内のアプライアンスを管理できない」などの拒絶メッセージをフィードバックしてもよい。もちろん、サーバは、他の方式を採用してもよく、本実施例はこれに対して具体的に限定しない。
【００６６】
本実施例において、サーバに予めアプライアンス識別子、位置情報とアプライアンスグループの対応関係が記憶されているため、サーバは、第１のスマート・アプライアンスから送信された権限取得要求を受信すると、第１のスマート・アプライアンスのアプライアンス識別子、予め記憶されているアプライアンス識別子、位置情報、及びアプライアンスグループの対応関係に基づいて、第１のスマート・アプライアンスが既に第１のアプライアンスグループに属しているか否かを判断することができる。例えば、予め記憶されている第１のアプライアンスグループに対応するアプライアンス識別子がＡ、Ｂ、Ｃである場合、第１のスマート・アプライアンスのアプライアンス識別子がＡであると、第１のスマート・アプライアンスが第１のアプライアンスグループに属していると確定することができ、第１のスマート・アプライアンスのアプライアンス識別子がＤであると、第１のスマート・アプライアンスが第１のアプライアンスグループに属していないと確定することができる。
【００６７】
ステップ３０４において、サーバは、第１のスマート・アプライアンスの登録アカウントを第１のアプライアンスグループの管理アカウントに設定する。
【００６８】
第１のアプライアンスグループ内のスマート・アプライアンスが第１のスマート・アプライアンスと互いに信頼できるアプライアンスであり、第１のスマート・アプライアンスの登録アカウントで第１のアプライアンスグループ内のスマート・アプライアンスを管理するときの保安性が高いため、サーバは、第１のスマート・アプライアンスの登録アカウントを第１のアプライアンスグループの管理アカウントに設定する。
【００６９】
ステップ３０５において、サーバは、第１のスマート・アプライアンス、及び第１のアプライアンスグループ内のスマート・アプライアンスに授権メッセージを送信する。
【００７０】
サーバは、第１のスマート・アプライアンスの登録アカウントを第１のアプライアンスグループの管理アカウントに設定した後、第１のスマート・アプライアンス、及びアプライアンスグループ内のスマート・アプライアンスに第１のアプライアンスグループの管理アカウントを知らせるために、さらに第１のスマート・アプライアンス、及び第１のアプライアンスグループ内のスマート・アプライアンスに、第１のアプライアンスグループの管理アカウントが第１のスマート・アプライアンスの登録アカウントであることを通知するための授権メッセージを送信する。
【００７１】
ステップ３０６において、第１のスマート・アプライアンスは、授権メッセージを受信すると、第１のスマート・アプライアンスの登録アカウントに基づいて、第１のアプライアンスグループ内のスマート・アプライアンスを管理する。
【００７２】
第１のスマート・アプライアンスは、授権メッセージを受信すると、第１のスマート・アプライアンスの登録アカウントに基づいて、第１のアプライアンスグループ内のスマート・アプライアンスを管理することができる。例えば、第１のスマート・アプライアンスは、その管理センター画面で第１のアプライアンスグループ内の任意のスマート・アプライアンスの任意の配置オプションなどを修正することができる。もちろん、第１のアプライアンスグループ内のその他のスマート・アプライアンスも、第１のスマート・アプライアンスの登録アカウントで第１のアプライアンスグループ内の任意のスマート・アプライアンスを管理することができる。
【００７３】
本実施例において、第１のスマート・アプライアンスは、第１のスマート・アプライアンスの登録アカウントに基づいて第１のアプライアンスグループ内のスマート・アプライアンスを管理した後、さらに管理センター画面にそのアプライアンス識別子を表示し、当該アプライアンス識別子の表示形態は、様々な形態があり、文字形態であってもよく、音声形態であってもよく、パターン形態などであってもよい。
【００７４】
本実施例において、第３のスマート・アプライアンスの位置情報が第１の位置情報から第２の位置情報に変更された場合、第３のスマート・アプライアンスは、サーバに位置更新メッセージを送信する。サーバは、位置更新メッセージを受信すると、第３のスマート・アプライアンスを第１のアプライアンスグループから第２のアプライアンスグループに区分する。当該第２のアプライアンスグループに対応する位置情報は、第２の位置情報である。この場合、第１のアプライアンスグループ内のスマート・アプライアンスは、もはや管理権限を有しない。当該スマート・アプライアンスが第１のアプライアンスグループ内のスマート・アプライアンスの自分に対する管理を許容し、当該スマート・アプライアンスの表示画面に確認ダイアローグボックスが出てきた時にユーザが確認オプションを選択したことが検出されると、当該スマート・アプライアンスは、第１のアプライアンスグループ内のスマート・アプライアンスの自分に対する管理を引き続き許容する。また、第１のアプライアンスグループ内の他のスマート・アプライアンスに第３のスマート・アプライアンスの位置情報の変化状況を知らせるために、サーバは、第３のスマート・アプライアンスから送信された位置更新メッセージを受信した後、受信した位置更新メッセージを第１のスマート・アプライアンスに送信して第１のスマート・アプライアンスが管理センター画面で第３のスマート・アプライアンスを第１のアプライアンスグループから削除するようにする。
【００７５】
アプライアンスグループ内のスマート・アプライアンスの情報保安性を高めるために、各スマート・アプライアンスの管理アカウントに対して１つの管理パスワードを設定し、何れかのスマート・アプライアンスが管理アカウントで他のスマート・アプライアンスを管理しようとする場合、管理パスワードを正確に入力しないと管理することができなくなることに留意すべきである。
【００７６】
本発明の実施例に係る方法によれば、第１のホームアプライアンスのアプライアンス識別子、予め記憶されているアプライアンス識別子とアプライアンスグループの対応関係に基づいて、第１のホームアプライアンスが第１のアプライアンスグループに属していると判断し、第１のアプライアンスグループ内のホームアプライアンスに対する第１のホームアプライアンスの管理権限が確定されると、第１のホームアプライアンスの登録アカウントを第１のアプライアンスグループの管理アカウントに設定することによって、ユーザが第１のホームアプライアンスに第１のホームアプライアンスの登録アカウントを登録することで、第１のアプライアンスグループ内の複数のホームアプライアンスに対する管理を実現するようにし、ホームアプライアンスに対する管理をより簡易、より高効率にする。この上、サーバは、第１のホームアプライアンス、及び第１のアプライアンスグループ内のホームアプライアンスに授権メッセージを送信して、第１のホームアプライアンス、及び第１のアプライアンスグループ内のホームアプライアンスが第１のアプライアンスグループの管理アカウントを即時に得るようにし、管理の時効性をより高める。
【００７７】
図４は、１つの例示的な実施例に係るスマート・アプライアンスの管理アカウント設定方法のフローチャートであり、図４に示されたように、スマート・アプライアンスの管理アカウント設定方法は、スマート・アプライアンスに適用され、当該スマート・アプライアンスは、携帯電話、タブレットＰＣなどの移動性が強いアプライアンスである。本発明の実施例に係る方法は、下記のステップを含む。
【００７８】
ステップ４０１において、第１のスマート・アプライアンスはＬＡＮに接続する。
【００７９】
本実施例において、スマート・アプライアンスは、ＲＦ方式、またはネットワーク方式で他のアプライアンスと通信する機能を有する。このような機能によって、スマート・アプライアンスは、オン（ＯＮ）状態でＬＡＮに接続することができ、ＬＡＮのその他のスマート・アプライアンスと通信することができる。
【００８０】
実際の応用において、スマート・アプライアンスがＬＡＮに接続するケースは、下記の２つのケースを含むが、これらに限定されない。
【００８１】
第１のケース：スマート・アプライアンスは、ＷｉＦｉ機能をオン（ＯＮ）させ、ＤＬＮＡ、Ｗｉ−Ｆｉディスプレイ（ＷｉＦｉ ｄｉｓｐｌａｙ）、エアプレイ（ａｉｒｐｌａｙ）、ａｉｒｋａｎなどのプロトコルを通じてルータに接続し、ルータを通じてＬＡＮに接続する。
【００８２】
第２のケース：スマート・アプライアンスは、受信したＧＰＲＳ、または３Ｇ信号をＷｉＦｉ信号に変換してから送信し、その他のスマート・アプライアンスは、当該スマート・アプライアンスから送信されたＷｉＦｉ信号を受信し、当該ＷｉＦｉ信号を通じて互いに通信する。当該過程において、ＷｉＦｉ信号を受信した複数のスマート・アプライアンスは、１つのＬＡＮを構成する。
【００８３】
ＬＡＮ内の各スマート・アプライアンスを区別するために、本実施例では、ＬＡＮ内のユーザが現在使用しているスマート・アプライアンスを第１のスマート・アプライアンスと呼び、当該第１のスマート・アプライアンスは、ＬＡＮに新たにアクセスしたスマート・アプライアンスであってもよく、ＬＡＮ内の既存のスマート・アプライアンスであってもよく、本実施例では、第１のスマート・アプライアンスがＬＡＮに新たにアクセスしたスマート・アプライアンスである場合を例として説明する、という点に留意すべきである。第２のスマート・アプライアンスは、第１のスマート・アプライアンスがサーバに権限取得要求を送信する際に権限取得要求に含まれているアプライアンス識別子に対応するスマート・アプライアンスである。
【００８４】
ステップ４０２において、第１のスマート・アプライアンスは、サーバに少なくとも第１のスマート・アプライアンスの登録アカウント、及び第１の位置情報が含まれている権限取得要求を送信する。
【００８５】
ＬＡＮ内のスマート・アプライアンスを管理するために、第１のスマート・アプライアンスは、ＬＡＮにアクセスした後、サーバに少なくとも第１のスマート・アプライアンスの登録アカウント、第１の位置情報、及びアプライアンス識別子などが含まれている権限取得要求を送信する。
【００８６】
ここで、第１のスマート・アプライアンスの登録アカウントは、ユーザが現在第１のスマート・アプライアンスに登録する時の登録アカウントであってもよく、ユーザが第１のスマート・アプライアンスに登録したことのある登録アカウントであってもよく、本実施例では第１のスマート・アプライアンスの登録アカウントに対して具体的に限定しない。第１の位置情報は、第１のスマート・アプライアンスが現在属しているＬＡＮを識別するためのものであり、当該第１の位置情報は、第１のスマート・アプライアンスが現在位置する地理位置であってもよく、第１のスマート・アプライアンスが現在使用しているＷｉＦｉホットスポット情報などであってもよい。第１のスマート・アプライアンスのアプライアンス識別子は、第１のスマート・アプライアンスのＩＤ、第１のスマート・アプライアンスのシリアルナンバーなどであり得る。
【００８７】
ステップ４０３において、サーバは、第１のスマート・アプライアンスから送信された権限取得要求を受信すると、第１の位置情報に基づいて、位置情報とアプライアンスグループの間の対応関係から第１のアプライアンスグループを取得する。
【００８８】
通信分野において、各スマート・アプライアンスは、ＬＡＮに接続した後、いずれもサーバに少なくともスマート・アプライアンスの位置情報、及びアプライアンス識別子などが含まれている識別子情報を送信する。サーバは、各スマート・アプライアンスに対する管理の便利性のために、各スマート・アプライアンスから送信された識別子情報を受信すると、位置情報に応じて、複数のスマート・アプライアンスを異なるアプライアンスグループに区分する。スマート・アプライアンスの区分によって、同一のアプライアンスグループ内のスマート・アプライアンスの位置情報は同じものになり、異なるアプライアンスグループ内のスマート・アプライアンスの位置情報は異なるものになる。即ち、同一のＬＡＮ内のスマート・アプライアンスが１つのアプライアンスグループを構成する。また、アプライアンスグループ内の各スマート・アプライアンスがいずれもアプライアンス識別子を有し、アプライアンス識別子とアプライアンスグループが一対一に対応するため、アプライアンス識別子、位置情報、及びアプライアンスグループの間には対応関係が存在する。後続の応用の便利性のために、サーバは、さらにアプライアンス識別子、位置情報とアプライアンスグループの対応関係を記憶する。
【００８９】
サーバは、記憶されているアプライアンス識別子、位置情報とアプライアンスグループの対応関係に基づいて、第１のスマート・アプライアンスから送信された権限取得要求を受信すると、第１の位置情報によって、位置情報とアプライアンスグループの対応関係から第１の位置情報に対応する第１のアプライアンスグループを取得する。
【００９０】
ステップ４０４において、サーバは、第１のスマート・アプライアンスが第１のアプライアンスグループ内のスマート・アプライアンスに対する管理権限を有すると確定した場合、第１のスマート・アプライアンスの登録アカウントを第１のアプライアンスグループの管理アカウントに設定する。
【００９１】
本実施例において、サーバが第１のスマート・アプライアンスが第１のアプライアンスグループ内のスマート・アプライアンスに対する管理権限を有すると確定するケースは、三種類がある。
【００９２】
第１のケース：第１のスマート・アプライアンスは、第１のアプライアンスグループが属しているＬＡＮに接続すると、サーバに権限取得要求を送信し、サーバは、第１のスマート・アプライアンスが属しているアプライアンスグループが第１のアプライアンスグル−ムであると確定すると、第１のスマート・アプライアンスが第１のアプライアンスグループ内のスマート・アプライアンスに対する管理権限を有すると確定する。
【００９３】
第２のケース：第１のスマート・アプライアンスは、第２のスマート・アプライアンスのアプライアンス識別子を取得し、当該第２のスマート・アプライアンスのアプライアンス識別子を権限取得要求に含ませてサーバに送信し、サーバは、第１のアプライアンスグループに第２のスマート・アプライアンスのアプライアンス識別子と同一のアプライアンス識別子が存在するか否かを検索し、第１のアプライアンスグループに第２のスマート・アプライアンスのアプライアンス識別子と同一のアプライアンス識別子が存在する場合、サーバは、第１のスマート・アプライアンスが第１のアプライアンスグループ内のスマート・アプライアンスに対する管理権限を有すると確定する。ここで、第１のスマート・アプライアンスが第２のスマート・アプライアンスのアプライアンス識別子を取得する方式は、第２のスマート・アプライアンスの管理センター画面上のアプライアンス識別子を処理することによって第２のスマート・アプライアンスのアプライアンス識別子を取得する方式を含むが、これに限定されない。
【００９４】
情報の保安性を向上させるために、第１のスマート・アプライアンスが、取得した第２のスマート・アプライアンスのアプライアンス識別子に基づいてサーバに権限取得要求を送信する時、一定の時効性を有する。第１のスマート・アプライアンスが指定された時間内にサーバに権限取得要求を送信した場合、サーバは、当該権限取得要求を処理し、第１のスマート・アプライアンスが指定された時間以外にサーバに権限取得要求を送信した場合、サーバは、当該権限取得要求を処理しない。ここで、権限取得要求の時効性は、具体的に第２のスマート・アプライアンスのアプライアンス識別子に含まれている時間情報により表現されるか、または、サーバが、権限取得要求を受信した時間を基点として、第１のスマート・アプライアンスから送信された権限取得要求に対してカウントすることによって表現される。
【００９５】
第３のケース：第１のスマート・アプライアンスは、第１のアプライアンスグループが属しているＬＡＮに接続し、アプライアンス検索ステップにおいて第１のアプライアンスグループ内のスマート・アプライアンスと互いに信頼できるスマート・アプライアンスであることを確認し、その後、サーバは、第１のスマート・アプライアンスから送信された権限取得要求を受信し、権限取得要求に含まれている位置情報に基づいて、第１のスマート・アプライアンスが属しているアプライアンスグループが第１のアプライアンスグループであり、且つ第１のスマート・アプライアンスと第１のアプライアンスグループ内のスマート・アプライアンスが互いに信頼できるスマート・アプライアンスであると確定すると、第１のスマート・アプライアンスが第１のアプライアンスグループ内のスマート・アプライアンスに対する管理権限を有すると確定する。
【００９６】
ステップ４０５において、サーバは、第１のスマート・アプライアンスの登録アカウントを第１のアプライアンスグループの管理アカウントに設定する。
【００９７】
第１のアプライアンスグループ内のスマート・アプライアンスが第１のスマート・アプライアンスと互いに信頼できるアプライアンスであり、第１のスマート・アプライアンスの登録アカウントで第１のアプライアンスグループ内のスマート・アプライアンスを管理するときの保安性が高いため、サーバは、第１のスマート・アプライアンスの登録アカウントを第１のアプライアンスグループの管理アカウントに設定する。
【００９８】
ステップ４０６において、サーバは、第１のスマート・アプライアンス、及び第１のアプライアンスグループ内のスマート・アプライアンスに授権メッセージを送信する。
【００９９】
サーバは、第１のスマート・アプライアンスの登録アカウントを第１のアプライアンスグループの管理アカウントに設定した後、第１のスマート・アプライアンス、及びアプライアンスグループ内のスマート・アプライアンスに第１のアプライアンスグループ内の管理アカウントを知らせるために、さらに第１のスマート・アプライアンス、及び第１のアプライアンスグループ内のスマート・アプライアンスに、第１のアプライアンスグループの管理アカウントが第１のスマート・アプライアンスの登録アカウントであることを通知するための授権メッセージを送信する。
【０１００】
ステップ４０７において、第１のスマート・アプライアンスは、授権メッセージを受信すると、第１のスマート・アプライアンスの登録アカウントに基づいて、第１のアプライアンスグループ内のスマート・アプライアンスを管理する。
【０１０１】
第１のスマート・アプライアンスは、授権メッセージを受信すると、第１のスマート・アプライアンスの登録アカウントに基づいて、第１のアプライアンスグループ内のスマート・アプライアンスを管理することができる。例えば、第１のスマート・アプライアンスは、その管理センター画面で第１のアプライアンスグループ内の任意のスマート・アプライアンスの任意の配置オプションなどを修正することができる。もちろん、第１のアプライアンスグループ内の他のスマート・アプライアンスも、第１のスマート・アプライアンスの登録アカウントで第１のアプライアンスグループ内の任意のスマート・アプライアンスを管理することができる。
【０１０２】
本発明の実施例に係る方法によれば、第１のアプライアンスグループ内のホームアプライアンスに対する移動端末の管理権限を確定した場合、移動端末の登録アカウントを第１のアプライアンスグループの管理アカウントに設定することによって、ユーザが移動端末に移動端末の登録アカウントを登録することで、第１のアプライアンスグループ内の複数のホームアプライアンスに対する管理を実現するようにし、ホームアプライアンスに対する管理をより簡易、より高効率にする。この上、サーバは、移動端末、及び第１のアプライアンスグループ内のホームアプライアンスに授権メッセージを送信して、移動端末、及び第１のアプライアンスグループ内のホームアプライアンスが第１のアプライアンスグループの管理アカウントを即時に得るようにし、管理の時効性をより高める。
【０１０３】
図５は、１つの例示的な実施例に係るサーバの構成模式図である。図５を参照すると、当該サーバは、第１の受信モジュール５０１、取得モジュール５０２、第１の設定モジュール５０３、及び第１の送信モジュール５０４を含む。
【０１０４】
当該第１の受信モジュール５０１は、第１のスマート・アプライアンスから、少なくとも第１のスマート・アプライアンスの登録アカウント、及び第１の位置情報が含まれている権限取得要求を受信するように構成される。
【０１０５】
当該取得モジュール５０２は、第１の位置情報に基づいて、位置情報とアプライアンスグループの間の対応関係から第１のアプライアンスグループを取得するように構成される。
【０１０６】
当該第１の設定モジュール５０３は、第１のスマート・アプライアンスが第１のアプライアンスグループ内のスマート・アプライアンスに対する管理権限を有すると確定した場合、第１のスマート・アプライアンスの登録アカウントを第１のアプライアンスグループの管理アカウントに設定するように構成される。
【０１０７】
当該第１の送信モジュール５０４は、第１のスマート・アプライアンス、及び第１のアプライアンスグループ内のスマート・アプライアンスに、第１のアプライアンスグループの管理アカウントが第１のスマート・アプライアンスの登録アカウントであることを通知するための授権メッセージを送信して、第１のスマート・アプライアンス、及び第１のアプライアンスグループ内のスマート・アプライアンスが第１のスマート・アプライアンスの登録アカウントに基づいて、第１のアプライアンスグループ内のスマート・アプライアンスを管理するように構成される。
【０１０８】
本発明の別の実施例において、権限取得要求には、第１のスマート・アプライアンスのアプライアンス識別子がさらに含まれ、
当該サーバは、判断モジュールと、第１の確定モジュールをさらに含む。
【０１０９】
当該判断モジュールは、第１のスマート・アプライアンスのアプライアンス識別子、予め記憶されているアプライアンス識別子とアプライアンスグループの対応関係に基づいて、第１のスマート・アプライアンスが第１のアプライアンスグループに属しているか否かを判断するように構成される。
【０１１０】
当該第１の確定モジュールは、第１のスマート・アプライアンスが第１のアプライアンスグループに属している場合、第１のスマート・アプライアンスが第１のアプライアンスグループ内のスマート・アプライアンスに対する管理権限を有すると確定するように構成される。
【０１１１】
本発明の別の実施例において、権限取得要求には、第２のスマート・アプライアンスのアプライアンス識別子がさらに含まれ、
当該サーバは、検索モジュールと、第２の確定モジュールをさらに含む。
【０１１２】
当該検索モジュールは、第１のアプライアンスグループに第２のスマート・アプライアンスのアプライアンス識別子と同一のアプライアンス識別子が存在するか否かを検索するように構成される。
【０１１３】
当該第２の確定モジュールは、第１のアプライアンスグループに第２のスマート・アプライアンスのアプライアンス識別子と同一のアプライアンス識別子が存在する場合、第１のスマート・アプライアンスが第１のアプライアンスグループ内のスマート・アプライアンスに対する管理権限を有すると確定するように構成される。
【０１１４】
本発明の別の実施例において、当該サーバは、第２の受信モジュール、区分モジュール、及び記憶モジュールをさらに含む。
【０１１５】
当該第２の受信モジュールは、複数のスマート・アプライアンスから、少なくとも位置情報、及びアプライアンス識別子が含まれているアプライアンス情報を受信するように構成される。
【０１１６】
当該区分モジュールは、位置情報に応じて、複数のスマート・アプライアンスを異なるアプライアンスグループに区分するように構成される。
【０１１７】
当該記憶モジュールは、アプライアンス識別子、位置情報とアプライアンスグループの対応関係を記憶するように構成される。
【０１１８】
本発明の別の実施例において、当該サーバは、第３の受信モジュールと、変更モジュールをさらに含む。
【０１１９】
当該第３の受信モジュールは、第１のアプライアンスグループ内の何れかのスマート・アプライアンスである第３のスマート・アプライアンスから、第３のスマート・アプライアンスの位置情報が第１の位置情報から第２の位置情報に変更されたことを通知するための位置更新メッセージを受信するように構成される。
【０１２０】
当該変更モジュールは、位置更新メッセージに基づいて、第３のスマート・アプライアンスが属しているアプライアンスグループを、第１のアプライアンスグループから対応する位置情報が第２の位置情報である第２のアプライアンスグループに変更するように構成される。
【０１２１】
本発明の別の実施例において、当該サーバは、第２の送信モジュールをさらに含む。
【０１２２】
当該第２の送信モジュールは、第１のスマート・アプライアンスが第３のスマート・アプライアンスを第１のアプライアンスグループから削除するように通知するための通知メッセージを、第１のスマート・アプライアンスに送信するように構成される。
【０１２３】
本発明の別の実施例において、当該サーバは、第２の設定モジュールをさらに含む。
【０１２４】
当該第２の設定モジュールは、第１のアプライアンスグループの管理アカウントに対して管理パスワードを設定するように構成される。
【０１２５】
本発明の実施例に係るサーバによれば、第１のアプライアンスグループ内のスマート・アプライアンスに対する第１のスマート・アプライアンスの管理権限を確定すると、第１のスマート・アプライアンスの登録アカウントを第１のアプライアンスグループの管理アカウントに設定することによって、ユーザが第１のスマート・アプライアンスに第１のスマート・アプライアンスの登録アカウントを登録することで、第１のアプライアンスグループ内の複数のスマート・アプライアンスに対する管理を実現するようにし、スマート・アプライアンスに対する管理をより簡易、より高効率にする。
【０１２６】
上記実施例の装置において、その各モジュールが動作を行う具体的な方式は、既に関連する方法実施例で詳しく説明したので、ここで詳細な説明をしない。
【０１２７】
図６は、１つの例示的な実施例に係るスマート・アプライアンスの構成模式図である。図６を参照すると、当該スマート・アプライアンスは、送信モジュール６０１、第１の受信モジュール６０２、及び管理モジュール６０３を含む。
【０１２８】
当該送信モジュール６０１は、サーバに少なくとも第１のスマート・アプライアンスの登録アカウント、及び第１の位置情報が含まれている権限取得要求を送信して、サーバが第１の位置情報に基づいて、位置情報とアプライアンスグループの間の対応関係から第１のアプライアンスグループを取得し、第１のスマート・アプライアンスが第１のアプライアンスグループ内のスマート・アプライアンスに対する管理権限を有すると確定した場合、第１のスマート・アプライアンスの登録アカウントを第１のアプライアンスグループの管理アカウントに設定するように構成される。
【０１２９】
当該第１の受信モジュール６０２は、サーバから、第１のアプライアンスグループの管理アカウントが第１のスマート・アプライアンスの登録アカウントであることを通知するための授権メッセージを受信するように構成される。
【０１３０】
当該管理モジュール６０３は、第１のスマート・アプライアンスの登録アカウントに基づいて、第１のアプライアンスグループ内のスマート・アプライアンスを管理するように構成される。
【０１３１】
本発明の別の実施例において、スマート・アプライアンスは、第２の受信モジュールと、削除モジュールをさらに含む。
【０１３２】
当該第２の受信モジュールは、サーバによって第１のアプライアンスグループ内の何れかのスマート・アプライアンスである第３のスマート・アプライアンスが属しているアプライアンスグループが第１のアプライアンスグループから第２のアプライアンスグループに変更された場合に送信される通知メッセージを、サーバから受信するように構成される。
【０１３３】
当該削除モジュールは、受信した通知メッセージに基づいて、第３のスマート・アプライアンスを第１のアプライアンスグループから削除するように構成される。
【０１３４】
本発明の実施例に係るスマート・アプライアンスによれば、サーバに少なくとも第１のスマート・アプライアンスの登録アカウント、及び第１の位置情報が含まれている権限取得要求を送信して、サーバによって第１のアプライアンスグループ内のスマート・アプライアンスに対する第１のスマート・アプライアンスの管理権限が確定され、第１のスマート・アプライアンスの登録アカウントが第１のアプライアンスグループの管理アカウントに設定された後、サーバから送信された授権メッセージを受信することによって、ユーザが第１のスマート・アプライアンスに第１のスマート・アプライアンスの登録アカウントを登録することで、第１のアプライアンスグループ内の複数のスマート・アプライアンスに対する管理を実現するようにし、スマート・アプライアンスに対する管理をより簡易、より高効率にする。
【０１３５】
図７は、１つの例示的な実施例に係るスマート・アプライアンスの管理アカウント設定用装置７００のブロック図である。例えば、装置７００は、携帯電話、コンピュータ、デジタル放送端末、メッセージ送受信装置、ゲームコンソール、タブレット装置、医療設備、フィットネス装置、ＰＤＡなどである。
【０１３６】
図７を参照すると、装置７００は、プロセスアセンブリ７０２、メモリ７０４、電源アセンブリ７０６、マルチメディアアセンブリ７０８、オーディオアセンブリ７１０、入出力（Ｉ／Ｏ）インタフェース７１２、センサアセンブリ７１４、及び通信アセンブリ７１６のような１つ或いは複数のアセンブリを含んでもよい。
【０１３７】
プロセスアセンブリ７０２は、一般的には装置７００の全体の動作を制御するものであり、例えば、表示、電話呼び出し、データ通信、カメラ操作、及び記録操作と関連する操作を制御する。プロセスアセンブリ７０２は、１つ以上のプロセッサ７２０を含み、これらによって命令を実行することにより、上記の方法の全部、或は一部のステップを実現するようにしてもよい。なお、プロセスアセンブリ７０２は、１つ以上のモジュールを含んでプロセスアセンブリ７０２と他のアセンブリの間のインタラクションを容易にしてもよい。例えば、プロセスアセンブリ７０２は、マルチメディアモジュールを含んでマルチメディアアセンブリ７０８とプロセスアセンブリ７０２の間のインタラクションを容易にしてもよい。
【０１３８】
メモリ７０４は、各種類のデータを記憶することにより装置７００の動作を支援するように構成される。これらのデータの例は、装置７００において操作されるいずれのアプリケーションプログラム又は方法の命令、連絡対象データ、電話帳データ、メッセージ、画像、ビデオ等を含む。メモリ７０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１３９】
電源アセンブリ７０６は、装置７００の各アセンブリに電力を供給する。電源アセンブリ７０６は、電源管理システム、１つ或いは複数の電源、及び装置７００のための電力の生成、管理、及び割り当てに関連する他のアセンブリを含んでもよい。
【０１４０】
マルチメディアアセンブリ７０８は、上記装置７００とユーザの間に１つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、１つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ７０８は、１つのフロントカメラ、及び／又はリアカメラを含む。装置７００が、例えば撮影モード、或はビデオモード等の操作モードにある場合、フロントカメラ、及び／又はリアカメラは外部からマルチメディアデータを受信できる。フロントカメラとリアカメラのそれぞれは、１つの固定型の光レンズ系、或は可変焦点距離と光学ズーム機能を有するものであってもよい。
【０１４１】
オーディオアセンブリ７１０は、オーディオ信号を入出力するように構成される。例えば、オーディオアセンブリ７１０は、１つのマイク（ＭＩＣ）を含み、装置７００が、例えば呼出しモード、記録モード、及び音声認識モード等の操作モードにある場合、マイクは外部のオーディオ信号を受信することができる。受信されたオーディオ信号は、さらにメモリ７０４に記憶されたり、通信アセンブリ７１６を介して送信されたりする。部分実施例において、オーディオアセンブリ７１０は、オーディオ信号を出力するための１つのスピーカーをさらに含む。
【０１４２】
Ｉ／Ｏインタフェース７１２は、プロセスアセンブリ７０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１４３】
センサアセンブリ７１４は、装置７００に各方面の状態に対する評価を提供するための１つ以上のセンサを含む。例えば、センサアセンブリ７１４は、装置７００のＯＮ／ＯＦＦ状態、装置７００のディスプレイとキーパッドのようなアセンブリの相対的な位置決めを検出できる。また、センサアセンブリ７１４は、装置７００、或いは装置７００の１つのアセンブリの位置変更、ユーザと装置７００とが接触しているか否か、装置７００の方位、又は加速／減速、装置７００の温度の変化を検出できる。センサアセンブリ７１４は、何れの物理的接触がない状態にて付近の物体の存在を検出するための近接センサを含んでもよい。センサアセンブリ７１４は、撮影アプリケーションに適用するため、ＣＭＯＳ、又はＣＣＤ画像センサのような光センサを含んでもよい。部分実施例において、当該センサアセンブリ７１４は、加速度センサ、ジャイロスコープセンサ、磁気センサ、圧力センサ、及び温度センサをさらに含んでもよい。
【０１４４】
通信アセンブリ７１６は、装置７００と他の機器の間に有線、又は無線形態の通信を提供する。装置７００は、例えばＷｉＦｉ、２Ｇ、３Ｇ、或はこれらの組み合わせのような、通信規格に基づいた無線ネットワークに接続されてもよい。１つの例示的な実施例において、通信アセンブリ７１６は、放送チャンネルを介して外部の放送管理システムからの放送信号、又は放送に関連する情報を受信する。１つの例示的な実施例において、上記通信アセンブリ７１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、及び他の技術に基づいて実現できる。
【０１４５】
例示的な実施例において、装置７００は、１つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１４６】
例示的な実施例において、命令を含むコンピュータ読取り可能な非一時的な記録媒体、例えば命令を含むメモリ７０４をさらに提供し、装置７００のプロセッサ７２０により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０１４７】
コンピュータ読取り可能な非一時的な記録媒体は、上記記録媒体に記録されている命令が移動端末のプロセッサにより実行されるとき、移動端末がスマート・アプライアンスの管理アカウント設定方法を実行できるようにし、上記方法は、
サーバに少なくとも第１のスマート・アプライアンスの登録アカウント、及び第１の位置情報が含まれている権限取得要求を送信して、サーバが第１の位置情報に基づいて、位置情報とアプライアンスグループの間の対応関係から第１のアプライアンスグループを取得し、第１のスマート・アプライアンスが第１のアプライアンスグループ内のスマート・アプライアンスに対する管理権限を有すると確定した場合、第１のスマート・アプライアンスの登録アカウントを第１のアプライアンスグループの管理アカウントに設定するようにするステップと、
サーバから、第１のアプライアンスグループの管理アカウントが第１のスマート・アプライアンスの登録アカウントであることを通知するための授権メッセージを受信するステップと、
第１のスマート・アプライアンスの登録アカウントに基づいて、第１のアプライアンスグループ内のスマート・アプライアンスを管理するステップと、を含む。
【０１４８】
本発明の別の実施例において、第１のスマート・アプライアンスの登録アカウントに基づいて、第１のアプライアンスグループ内のスマート・アプライアンスを管理した後、
サーバによって第１のアプライアンスグループ内の何れかのスマート・アプライアンスである第３のスマート・アプライアンスが属しているアプライアンスグループが第１のアプライアンスグループから第２のアプライアンスグループに変更された場合に送信される通知メッセージを、サーバから受信するステップと、
受信した通知メッセージに基づいて、第３のスマート・アプライアンスを第１のアプライアンスグループから削除するステップと、をさらに含む。
【０１４９】
本発明の実施例に係るコンピュータ読取り可能な非一時的な記録媒体によれば、サーバに少なくとも第１のスマート・アプライアンスの登録アカウント、及び第１の位置情報が含まれている権限取得要求を送信して、サーバによって第１のアプライアンスグループ内のスマート・アプライアンスに対する第１のスマート・アプライアンスの管理権限が確定され、第１のスマート・アプライアンスの登録アカウントが第１のアプライアンスグループの管理アカウントに設定された後、サーバから送信された授権メッセージを受信することによって、ユーザが第１のスマート・アプライアンスに第１のスマート・アプライアンスの登録アカウントを登録することで、第１のアプライアンスグループ内の複数のスマート・アプライアンスに対する管理を実現するようにし、スマート・アプライアンスに対する管理をより簡易、より高効率にする。
【０１５０】
図８は、１つの例示的な実施例に係るスマート・アプライアンスの管理アカウント設定用装置８００のブロック図である。例えば、装置８００は、サーバとして提供されることができる。図８に示すように、装置８００は、１つまたは１つ以上のプロセッサを含むプロセスアセンブリ８２２と、プロセスアセンブリ８２２により実行可能な命令、例えばアプリケーションプログラムを記憶するためのメモリ８３２を代表とするメモリ資源と、を含む。メモリ８３２に記憶されているアプリケーションプログラムは、それぞれが一組の命令に対応する１つまたは１つ以上のモジュールを含んでもよい。また、プロセスアセンブリ８２２は、命令を実行して上記スマート・アプライアンスの管理アカウント設定方法を実行するように構成される。
【０１５１】
上記スマート・アプライアンスの管理アカウント設定方法は、
第１のスマート・アプライアンスから、少なくとも第１のスマート・アプライアンスの登録アカウント、及び第１の位置情報が含まれている権限取得要求を受信するステップと、
第１の位置情報に基づいて、位置情報とアプライアンスグループの間の対応関係から第１のアプライアンスグループを取得するステップと、
第１のスマート・アプライアンスが第１のアプライアンスグループ内のスマート・アプライアンスに対する管理権限を有すると確定した場合、第１のスマート・アプライアンスの登録アカウントを第１のアプライアンスグループの管理アカウントに設定するステップと、
第１のスマート・アプライアンス、及び第１のアプライアンスグループ内のスマート・アプライアンスに、第１のアプライアンスグループの管理アカウントが第１のスマート・アプライアンスの登録アカウントであることを通知するための授権メッセージを送信して、第１のスマート・アプライアンス、及び第１のアプライアンスグループ内のスマート・アプライアンスが第１のスマート・アプライアンスの登録アカウントに基づいて第１のアプライアンスグループ内のスマート・アプライアンスを管理するようにするステップと、を含む。
【０１５２】
本発明の別の実施例において、権限取得要求には、第１のスマート・アプライアンスのアプライアンス識別子がさらに含まれ、
第１のアプライアンスグループを取得した後、当該方法は、
第１のスマート・アプライアンスのアプライアンス識別子、予め記憶されているアプライアンス識別子とアプライアンスグループの対応関係に基づいて、第１のスマート・アプライアンスが第１のアプライアンスグループに属しているか否かを判断するステップと、
第１のスマート・アプライアンスが第１のアプライアンスグループに属している場合、第１のスマート・アプライアンスが第１のアプライアンスグループ内のスマート・アプライアンスに対する管理権限を有すると確定するステップと、をさらに含む。
【０１５３】
本発明の別の実施例において、前記権限取得要求には、第２のスマート・アプライアンスのアプライアンス識別子がさらに含まれ、
第１のアプライアンスグループを取得した後、当該方法は、
第１のアプライアンスグループに第２のスマート・アプライアンスのアプライアンス識別子と同一のアプライアンス識別子が存在するか否かを検索するステップと、
第１のアプライアンスグループに第２のスマート・アプライアンスのアプライアンス識別子と同一のアプライアンス識別子が存在する場合、第１のスマート・アプライアンスが第１のアプライアンスグループ内のスマート・アプライアンスに対する管理権限を有すると確定するステップと、をさらに含む。
【０１５４】
本発明の別の実施例において、位置情報とアプライアンスグループの間の対応関係から第１のアプライアンスグループを取得する前に、
複数のスマート・アプライアンスから、少なくとも位置情報、及びアプライアンス識別子が含まれている識別子情報を受信するステップと、
位置情報に応じて、複数のスマート・アプライアンスを異なるアプライアンスグループに区分するステップと、
アプライアンス識別子、位置情報とアプライアンスグループの対応関係を記憶するステップと、をさらに含む。
【０１５５】
本発明の別の実施例において、第１のスマート・アプライアンス、及び第１のアプライアンスグループ内のスマート・アプライアンスに授権メッセージを送信した後、
第１のアプライアンスグループ内の何れかのスマート・アプライアンスである第３のスマート・アプライアンスから、第３のスマート・アプライアンスの位置情報が第１の位置情報から第２の位置情報に変更されたことを通知するための位置更新メッセージを受信するステップと、
位置更新メッセージに基づいて、第３のスマート・アプライアンスが属しているアプライアンスグループを、第１のアプライアンスグループから対応する位置情報が第２の位置情報である第２のアプライアンスグループに変更するステップと、をさらに含む。
【０１５６】
本発明の別の実施例において、位置更新メッセージに基づいて、第３のスマート・アプライアンスが属しているアプライアンスグループを第１のアプライアンスグループから第２のアプライアンスグループに変更した後、
第１のスマート・アプライアンスが第３のスマート・アプライアンスを第１のアプライアンスグループから削除するように通知するための通知メッセージを、第１のスマート・アプライアンスに送信するステップをさらに含む。
【０１５７】
本発明の別の実施例において、当該方法は、
第１のアプライアンスグループの管理アカウントに対して、管理パスワードを設定するステップをさらに含む。
【０１５８】
装置８００は、装置８００の電源を管理するように構成される電源アセンブリ８２６と、装置８００をネットワークに接続するように構成される１つの有線又は無線ネットワークインタフェース８５０と、１つの入出力（Ｉ／Ｏ）インタフェース８５８とをさらに含む。装置８００は、メモリ８３２に記憶されているＯＳ、例えば、Ｗｉｎｄｏｗｓ Ｓｅｒｖｅｒ（登録商標）、Ｍａｃ ＯＳ Ｘ（登録商標）、Ｕｎｉｘ（登録商標）、Ｌｉｎｕｘ（登録商標）、ＦｒｅｅＢＳＤ（登録商標）などあるいは類似するシステムに基づいて動作することができる。
【０１５９】
本発明の実施例に係る装置によれば、第１のアプライアンスグループ内のスマート・アプライアンスに対する第１のスマート・アプライアンスの管理権限を確定した場合、第１のスマート・アプライアンスの登録アカウントを第１のアプライアンスグループの管理アカウントに設定することによって、ユーザが第１のスマート・アプライアンスに第１のスマート・アプライアンスの登録アカウントを登録することで、第１のアプライアンスグループ内の複数のスマート・アプライアンスに対する管理を実現するようにし、スマート・アプライアンスに対する管理をより簡易、より高効率にする。
【０１６０】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１６１】
本発明は、上記で記述し、図面で図示した特定の構成に限定されず、その範囲を離脱しない状況で、様様な修正と変更を実現できる。本発明の範囲は、添付される特許請求の範囲のみにより限定される。
【０１６２】
本願は、出願番号がＣＮ２０１５１０１０５３５６．６であって、出願日が２０１５年３月１１日である中国特許出願に基づき優先権を主張し、当該中国特許出願のすべての内容を本願に援用する。
【図１】
2017517824.tif 000003
【図２】
2017517824.tif 000004
【図３】
2017517824.tif 000005
【図４】
2017517824.tif 000006
【図５】
2017517824.tif 000007
【図６】
2017517824.tif 000008
【図７】
2017517824.tif 000009
【図８】
2017517824.tif 000010
【手続補正書】
【提出日】平成27年10月27日(2015.10.27)
【手続補正１】
【補正対象書類名】明細書
【補正対象項目名】全文
【補正方法】変更
【補正の内容】
【発明の詳細な説明】
【技術分野】
【０００１】
本発明は、端末の技術分野に関し、特に、スマート・アプライアンスの管理アカウント設定方法、装置、プログラム及び記録媒体に関する。
【背景技術】
【０００２】
科学技術の発展にしたがって、スマートテレビ、スマートオーディオ、スマートライトなどのスマート・アプライアンスを現代の生活の中でどこでも目にすることができる。スマート・アプライアンスの情報保安性を向上させるために、通常、各スマート・アプライアンスに対して１つの管理アカウントを設定し、ユーザは、何れかのスマート・アプライアンスを管理しようとする場合、当該スマート・アプライアンスに当該スマート・アプライアンスの管理アカウントを登録することによってスマート・アプライアンスを管理しなければならない。ユーザが複数のスマート・アプライアンスを管理しようとする場合、複数のスマート・アプライアンスに、それぞれ対応する管理アカウントを１つずつ登録する必要があり、このような過程は操作が複雑であり、ユーザの管理に大きな不便さをもたらす。スマート・アプライアンスに対するユーザの管理の便利性のために、簡易、高効率なスマート・アプライアンスの管理アカウント設定方法が必要である。
【発明の概要】
【０００３】
本発明は、関連技術に存在する問題を解決するために、スマート・アプライアンスの管理アカウント設定方法、装置、プログラム及び記録媒体を提供する。
【０００４】
本発明の実施例の第１の態様によれば、スマート・アプライアンスの管理アカウント設定方法を提供し、上記方法は、
第１のスマート・アプライアンスから、少なくとも前記第１のスマート・アプライアンスの登録アカウント、及び第１の位置情報が含まれている権限取得要求を受信するステップと、
前記第１の位置情報に基づいて、位置情報とアプライアンスグループの間の対応関係から第１のアプライアンスグループを取得するステップと、
前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するステップと、
前記第１のスマート・アプライアンス、及び第１のアプライアンスグループ内のスマート・アプライアンスに、前記第１のアプライアンスグループの管理アカウントが前記第１のスマート・アプライアンスの登録アカウントであることを通知するための授権メッセージを送信して、前記第１のスマート・アプライアンス、及び前記第１のアプライアンスグループ内のスマート・アプライアンスが前記第１のスマート・アプライアンスの登録アカウントに基づいて前記第１のアプライアンスグループ内のスマート・アプライアンスを管理するようにするステップと、を含む。
【０００５】
好ましくは、前記権限取得要求には、前記第１のスマート・アプライアンスのアプライアンス識別子がさらに含まれ、
前記第１のアプライアンスグループを取得した後、前記方法は、
前記第１のスマート・アプライアンスのアプライアンス識別子、予め記憶されているアプライアンス識別子とアプライアンスグループの対応関係に基づいて、前記第１のスマート・アプライアンスが前記第１のアプライアンスグループに属しているか否かを判断するステップと、
前記第１のスマート・アプライアンスが前記第１のアプライアンスグループに属している場合、前記第１のスマート・アプライアンスが第１のアプライアンスグループ内のスマート・アプライアンスに対する管理権限を有すると確定するステップと、をさらに含む。
【０００６】
好ましくは、前記権限取得要求には、第２のスマート・アプライアンスのアプライアンス識別子がさらに含まれ、
前記第１のアプライアンスグループを取得した後、前記方法は、
第１のアプライアンスグループに前記第２のスマート・アプライアンスのアプライアンス識別子と同一のアプライアンス識別子が存在するか否かを検索するステップと、
前記第１のアプライアンスグループに前記第２のスマート・アプライアンスのアプライアンス識別子と同一のアプライアンス識別子が存在する場合、前記第１のスマート・アプライアンスが第１のアプライアンスグループ内のスマート・アプライアンスに対する管理権限を有すると確定するステップと、をさらに含む。
【０００７】
好ましくは、前記位置情報とアプライアンスグループの間の対応関係から第１のアプライアンスグループを取得する前に、
複数のスマート・アプライアンスから、少なくとも位置情報、及びアプライアンス識別子が含まれている識別子情報を受信するステップと、
位置情報に応じて、複数のスマート・アプライアンスを異なるアプライアンスグループに区分するステップと、
アプライアンス識別子、位置情報とアプライアンスグループの対応関係を記憶するステップと、をさらに含む。
【０００８】
好ましくは、前記第１のスマート・アプライアンス、及び第１のアプライアンスグループ内のスマート・アプライアンスに授権メッセージを送信した後、
前記第１のアプライアンスグループ内の何れかのスマート・アプライアンスである第３のスマート・アプライアンスから、前記第３のスマート・アプライアンスの位置情報が第１の位置情報から第２の位置情報に変更されたことを通知するための位置更新メッセージを受信するステップと、
前記位置更新メッセージに基づいて、前記第３のスマート・アプライアンスが属しているアプライアンスグループを、第１のアプライアンスグループから対応する位置情報が第２の位置情報である第２のアプライアンスグループに変更するステップと、をさらに含む。
【０００９】
好ましくは、前記位置更新メッセージに基づいて、前記第３のスマート・アプライアンスが属しているアプライアンスグループを第１のアプライアンスグループから第２のアプライアンスグループに変更した後、
前記第１のスマート・アプライアンスが前記第３のスマート・アプライアンスを前記第１のアプライアンスグループから削除するように通知するための通知メッセージを、前記第１のスマート・アプライアンスに送信するステップをさらに含む。
【００１０】
好ましくは、前記方法は、
前記第１のアプライアンスグループの管理アカウントに対して、管理パスワードを設定するステップをさらに含む。
【００１１】
本発明の実施例の第２の態様によれば、スマート・アプライアンスの管理アカウント設定方法を提供し、上記方法は、
サーバに少なくとも第１のスマート・アプライアンスの登録アカウント、及び第１の位置情報が含まれている権限取得要求を送信して、前記サーバが前記第１の位置情報に基づいて、位置情報とアプライアンスグループの間の対応関係から第１のアプライアンスグループを取得し、前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するようにするステップと、
前記サーバから、前記第１のアプライアンスグループの管理アカウントが前記第１のスマート・アプライアンスの登録アカウントであることを通知するための授権メッセージを受信するステップと、
前記第１のスマート・アプライアンスの登録アカウントに基づいて、前記第１のアプライアンスグループ内のスマート・アプライアンスを管理するステップと、を含む。
【００１２】
好ましくは、前記第１のスマート・アプライアンスの登録アカウントに基づいて、前記第１のアプライアンスグループ内のスマート・アプライアンスを管理した後、
サーバによって前記第１のアプライアンスグループ内の何れかのスマート・アプライアンスである第３のスマート・アプライアンスが属しているアプライアンスグループが第１のアプライアンスグループから第２のアプライアンスグループに変更された場合に送信される通知メッセージを、前記サーバから受信するステップと、
受信した通知メッセージに基づいて、前記第３のスマート・アプライアンスを前記第１のアプライアンスグループから削除するステップと、をさらに含む。
【００１３】
本発明の実施例の第３の態様によれば、サーバを提供し、上記サーバは、
第１のスマート・アプライアンスから、少なくとも前記第１のスマート・アプライアンスの登録アカウント、及び第１の位置情報が含まれている権限取得要求を受信するための第１の受信モジュールと、
前記第１の位置情報に基づいて、位置情報とアプライアンスグループの間の対応関係から第１のアプライアンスグループを取得するための取得モジュールと、
前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するための第１の設定モジュールと、
前記第１のスマート・アプライアンス、及び第１のアプライアンスグループ内のスマート・アプライアンスに、前記第１のアプライアンスグループの管理アカウントが前記第１のスマート・アプライアンスの登録アカウントであることを通知するための授権メッセージを送信して、前記第１のスマート・アプライアンス、及び前記第１のアプライアンスグループ内のスマート・アプライアンスが前記第１のスマート・アプライアンスの登録アカウントに基づいて前記第１のアプライアンスグループ内のスマート・アプライアンスを管理するようにするための第１の送信モジュールと、を含む。
【００１４】
好ましくは、前記権限取得要求には、前記第１のスマート・アプライアンスのアプライアンス識別子がさらに含まれ、
前記サーバは、
前記第１のスマート・アプライアンスのアプライアンス識別子、予め記憶されているアプライアンス識別子とアプライアンスグループの対応関係に基づいて、前記第１のスマート・アプライアンスが前記第１のアプライアンスグループに属しているか否かを判断するための判断モジュールと、
前記第１のスマート・アプライアンスが前記第１のアプライアンスグループに属している場合、前記第１のスマート・アプライアンスが第１のアプライアンスグループ内のスマート・アプライアンスに対する管理権限を有すると確定するための第１の確定モジュールと、をさらに含む。
【００１５】
好ましくは、前記権限取得要求には、第２のスマート・アプライアンスのアプライアンス識別子がさらに含まれ、
前記サーバは、
第１のアプライアンスグループに前記第２のスマート・アプライアンスのアプライアンス識別子と同一のアプライアンス識別子が存在するか否かを検索するための検索モジュールと、
前記第１のアプライアンスグループに前記第２のスマート・アプライアンスのアプライアンス識別子と同一のアプライアンス識別子が存在する場合、前記第１のスマート・アプライアンスが第１のアプライアンスグループ内のスマート・アプライアンスに対する管理権限を有すると確定するための第２の確定モジュールと、をさらに含む。
【００１６】
好ましくは、前記サーバは、
複数のスマート・アプライアンスから、少なくとも位置情報、及びアプライアンス識別子が含まれている識別子情報を受信するための第２の受信モジュールと、
位置情報に応じて、複数のスマート・アプライアンスを異なるアプライアンスグループに区分するための区分モジュールと、
アプライアンス識別子、位置情報とアプライアンスグループの対応関係を記憶するための記憶モジュールと、をさらに含む。
【００１７】
好ましくは、前記サーバは、
前記第１のアプライアンスグループ内の何れかのスマート・アプライアンスである第３のスマート・アプライアンスから、前記第３のスマート・アプライアンスの位置情報が第１の位置情報から第２の位置情報に変更されたことを通知するための位置更新メッセージを受信するための第３の受信モジュールと、
前記位置更新メッセージに基づいて、前記第３のスマート・アプライアンスが属しているアプライアンスグループを、第１のアプライアンスグループから対応する位置情報が第２の位置情報である第２のアプライアンスグループに変更するための変更モジュールと、をさらに含む。
【００１８】
好ましくは、前記サーバは、
前記第１のスマート・アプライアンスが前記第３のスマート・アプライアンスを前記第１のアプライアンスグループから削除するように通知するための通知メッセージを、前記第１のスマート・アプライアンスに送信するための第２の送信モジュールをさらに含む。
【００１９】
好ましくは、前記サーバは、
前記第１のアプライアンスグループの管理アカウントに対して管理パスワードを設定するための第２の設定モジュールをさらに含む。
【００２０】
本発明の実施例の第４の態様によれば、スマート・アプライアンスを提供し、上記スマート・アプライアンスは、
サーバに少なくとも第１のスマート・アプライアンスの登録アカウント、及び第１の位置情報が含まれている権限取得要求を送信して、前記サーバが前記第１の位置情報に基づいて、位置情報とアプライアンスグループの間の対応関係から第１のアプライアンスグループを取得し、前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するようにするための送信モジュールと、
前記サーバから、前記第１のアプライアンスグループの管理アカウントが前記第１のスマート・アプライアンスの登録アカウントであることを通知するための授権メッセージを受信するための第１の受信モジュールと、
前記第１のスマート・アプライアンスの登録アカウントに基づいて、前記第１のアプライアンスグループ内のスマート・アプライアンスを管理するための管理モジュールと、を含む。
【００２１】
好ましくは、前記スマート・アプライアンスは、
サーバによって前記第１のアプライアンスグループ内の何れかのスマート・アプライアンスである第３のスマート・アプライアンスが属しているアプライアンスグループが第１のアプライアンスグループから第２のアプライアンスグループに変更された場合に送信される通知メッセージを、前記サーバから受信するための第２の受信モジュールと、
受信した通知メッセージに基づいて、前記第３のスマート・アプライアンスを前記第１のアプライアンスグループから削除するための削除モジュールと、をさらに含む。
【００２２】
本発明の実施例の第５の態様によれば、スマート・アプライアンスの管理アカウント設定装置を提供し、上記スマート・アプライアンスの管理アカウント設定装置は、
プロセッサと、
前記プロセッサにより実行可能な命令を記憶するためのメモリと、
を含み、
前記プロセッサは、
第１のスマート・アプライアンスから、少なくとも前記第１のスマート・アプライアンスの登録アカウント、及び第１の位置情報が含まれている権限取得要求を受信し、
前記第１の位置情報に基づいて、位置情報とアプライアンスグループの間の対応関係から第１のアプライアンスグループを取得し、
前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定し、
前記第１のスマート・アプライアンス、及び第１のアプライアンスグループ内のスマート・アプライアンスに、前記第１のアプライアンスグループの管理アカウントが前記第１のスマート・アプライアンスの登録アカウントであることを通知するための授権メッセージを送信して、前記第１のスマート・アプライアンス、及び前記第１のアプライアンスグループ内のスマート・アプライアンスが前記第１のスマート・アプライアンスの登録アカウントに基づいて前記第１のアプライアンスグループ内のスマート・アプライアンスを管理するように構成される。
【００２３】
本発明の実施例の第６の態様によれば、スマート・アプライアンスの管理アカウント設定装置を提供し、上記スマート・アプライアンスの管理アカウント設定装置は、
プロセッサと、
前記プロセッサにより実行可能な命令を記憶するためのメモリと、
を含み、
前記プロセッサは、
サーバに少なくとも第１のスマート・アプライアンスの登録アカウント、及び第１の位置情報が含まれている権限取得要求を送信して、前記サーバが前記第１の位置情報に基づいて、位置情報とアプライアンスグループの間の対応関係から第１のアプライアンスグループを取得し、前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するようにし、
前記サーバから、前記第１のアプライアンスグループの管理アカウントが前記第１のスマート・アプライアンスの登録アカウントであることを通知するための授権メッセージを受信し、
前記第１のスマート・アプライアンスの登録アカウントに基づいて、前記第１のアプライアンスグループ内のスマート・アプライアンスを管理するように構成される。
【００２４】
本発明の実施例の第７の態様によれば、プロセッサに実行されることにより、前記のスマート・アプライアンスの管理アカウント設定方法を実現するプログラムを提供する。
【００２５】
本発明の実施例の第８の態様によれば、前記のプログラムが記録された記録媒体を提供する。
【００２６】
本発明の実施例に係る提案は、下記の有益な効果を有する。
【００２７】
第１のアプライアンスグループ内のスマート・アプライアンスに対する第１のスマート・アプライアンスの管理権限が確定されると、第１のスマート・アプライアンスの登録アカウントを第１のアプライアンスグループの管理アカウントに設定することによって、ユーザが第１のスマート・アプライアンスに第１のスマート・アプライアンスの登録アカウントを登録することで、第１のアプライアンスグループ内の複数のスマート・アプライアンスに対する管理を実現するようにし、スマート・アプライアンスに対する管理をより簡易、より高効率にする。
【００２８】
以上の一般的な記述と、以下の詳細の記述は、ただ例示的なものであって、本発明を限定するものではないことを理解すべきである。
【図面の簡単な説明】
【００２９】
ここの図面は、明細書に組み入れて本明細書の一部分を構成し、本発明に該当する実施例を例示するとともに、明細書とともに本発明の原理を解釈するために用いられる。
【図１】１つの例示的な実施例に係るスマート・アプライアンスの管理アカウント設定方法のフローチャートである。
【図２】１つの例示的な実施例に係るスマート・アプライアンスの管理アカウント設定方法のフローチャートである。
【図３】１つの例示的な実施例に係るスマート・アプライアンスの管理アカウント設定方法のフローチャートである。
【図４】１つの例示的な実施例に係るスマート・アプライアンスの管理アカウント設定方法のフローチャートである。
【図５】１つの例示的な実施例に係るサーバの構成模式図である。
【図６】１つの例示的な実施例に係るスマート・アプライアンスの構成模式図である。
【図７】１つの例示的な実施例に係るスマート・アプライアンスの管理アカウント設定装置のブロック図である。
【図８】１つの例示的な実施例に係るスマート・アプライアンスの管理アカウント設定装置のブロック図である。
【発明を実施するための形態】
【００３０】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００３１】
図１は、１つの例示的な実施例に係るスマート・アプライアンスの管理アカウント設定方法のフローチャートであり、図１に示されたように、スマート・アプライアンスの管理アカウント設定方法はサーバに適用され、下記のステップを含む。
【００３２】
ステップ１０１において、第１のスマート・アプライアンスから、少なくとも第１のスマート・アプライアンスの登録アカウント、及び第１の位置情報が含まれている権限取得要求を受信する。
【００３３】
ステップ１０２において、第１の位置情報に基づいて、位置情報とアプライアンスグループの間の対応関係から第１のアプライアンスグループを取得する。
【００３４】
ステップ１０３において、第１のスマート・アプライアンスが第１のアプライアンスグループ内のスマート・アプライアンスに対する管理権限を有すると確定した場合、第１のスマート・アプライアンスの登録アカウントを第１のアプライアンスグループの管理アカウントに設定する。
【００３５】
ステップ１０４において、第１のスマート・アプライアンス、及び第１のアプライアンスグループ内のスマート・アプライアンスに、第１のアプライアンスグループの管理アカウントが第１のスマート・アプライアンスの登録アカウントであることを通知するための授権メッセージを送信して、第１のスマート・アプライアンス、及び第１のアプライアンスグループ内のスマート・アプライアンスが第１のスマート・アプライアンスの登録アカウントに基づいて第１のアプライアンスグループ内のスマート・アプライアンスを管理するようにする。
【００３６】
本発明の実施例に係る方法によれば、第１のアプライアンスグループ内のスマート・アプライアンスに対する第１のスマート・アプライアンスの管理権限を確定した場合、第１のスマート・アプライアンスの登録アカウントを第１のアプライアンスグループの管理アカウントに設定することによって、ユーザが第１のスマート・アプライアンスに第１のスマート・アプライアンスの登録アカウントを登録することで、第１のアプライアンスグループ内の複数のスマート・アプライアンスに対する管理を実現するようにし、スマート・アプライアンスに対する管理をより簡易、より高効率にする。
【００３７】
本発明の別の実施例において、権限取得要求には、第１のスマート・アプライアンスのアプライアンス識別子がさらに含まれ、
第１のアプライアンスグループを取得した後、上記方法は、
第１のスマート・アプライアンスのアプライアンス識別子、予め記憶されているアプライアンス識別子とアプライアンスグループの対応関係に基づいて、第１のスマート・アプライアンスが第１のアプライアンスグループに属しているか否かを判断するステップと、
第１のスマート・アプライアンスが第１のアプライアンスグループに属している場合、第１のスマート・アプライアンスが第１のアプライアンスグループ内のスマート・アプライアンスに対する管理権限を有すると確定するステップと、をさらに含む。
【００３８】
本発明の別の実施例において、権限取得要求には、第２のスマート・アプライアンスのアプライアンス識別子がさらに含まれ、
第１のアプライアンスグループを取得した後、上記方法は、
第１のアプライアンスグループに第２のスマート・アプライアンスのアプライアンス識別子と同一のアプライアンス識別子が存在するか否かを検索するステップと、
第１のアプライアンスグループに第２のスマート・アプライアンスのアプライアンス識別子と同一のアプライアンス識別子が存在する場合、第１のスマート・アプライアンスが第１のアプライアンスグループ内のスマート・アプライアンスに対する管理権限を有すると確定するステップと、をさらに含む。
【００３９】
本発明の別の実施例において、位置情報とアプライアンスグループの間の対応関係から第１のアプライアンスグループを取得する前に、
複数のスマート・アプライアンスから、少なくとも位置情報とアプライアンス識別子が含まれている識別子情報を受信するステップと、
位置情報に応じて、複数のスマート・アプライアンスを異なるアプライアンスグループに区分するステップと、
アプライアンス識別子、位置情報とアプライアンスグループの対応関係を記憶するステップと、をさらに含む。
【００４０】
本発明の別の実施例において、第１のスマート・アプライアンス、及び第１のアプライアンスグループ内のスマート・アプライアンスに授権メッセージを送信した後、
第１のアプライアンスグループ内の何れかのスマート・アプライアンスである第３のスマート・アプライアンスから、第３のスマート・アプライアンスの位置情報が第１の位置情報から第２の位置情報に変更されたことを通知するための位置更新メッセージを受信するステップと、
位置更新メッセージに基づいて、第３のスマート・アプライアンスが属しているアプライアンスグループを、第１のアプライアンスグループから対応する位置情報が第２の位置情報である第２のアプライアンスグループに変更するステップと、をさらに含む。
【００４１】
本発明の別の実施例において、位置更新メッセージに基づいて、第３のスマート・アプライアンスが属しているアプライアンスグループを第１のアプライアンスグループから第２のアプライアンスグループに変更した後、
第１のスマート・アプライアンスが第３のスマート・アプライアンスを第１のアプライアンスグループから削除するように通知するための通知メッセージを、第１のスマート・アプライアンスに送信するステップをさらに含む。
【００４２】
本発明の別の実施例において、上記方法は、
第１のアプライアンスグループの管理アカウントに対して、管理パスワードを設定するステップをさらに含む。
【００４３】
上記すべての選択的な提案は任意に組み合わせられて本発明の選択的な実施例を構成し、ここで詳しく述べない。
【００４４】
図２は、１つの例示的な実施例に係るスマート・アプライアンスの管理アカウント設定方法のフローチャートであり、図２に示されたように、スマート・アプライアンスの管理アカウント設定方法は、スマート・アプライアンスに適用され、下記のステップを含む。
【００４５】
ステップ２０１において、サーバに、少なくとも第１のスマート・アプライアンスの登録アカウント、及び第１の位置情報が含まれている権限取得要求を送信して、サーバが第１の位置情報に基づいて、位置情報とアプライアンスグループの間の対応関係から第１のアプライアンスグループを取得し、第１のスマート・アプライアンスが第１のアプライアンスグループ内のスマート・アプライアンスに対する管理権限を有すると確定した場合、第１のスマート・アプライアンスの登録アカウントを第１のアプライアンスグループの管理アカウントに設定するようにする。
【００４６】
ステップ２０２において、サーバから、第１のアプライアンスグループの管理アカウントが第１のスマート・アプライアンスの登録アカウントであることを通知するための授権メッセージを受信する。
【００４７】
ステップ２０３において、第１のスマート・アプライアンスの登録アカウントに基づいて、第１のアプライアンスグループ内のスマート・アプライアンスを管理する。
【００４８】
本発明の実施例に係る方法によれば、サーバに、少なくとも第１のスマート・アプライアンスの登録アカウント、及び第１の位置情報が含まれている権限取得要求を送信して、サーバによって第１のアプライアンスグループ内のスマート・アプライアンスに対する第１のスマート・アプライアンスの管理権限が確定され、第１のスマート・アプライアンスの登録アカウントが第１のアプライアンスグループの管理アカウントに設定された後、サーバから送信された授権メッセージを受信することによって、ユーザが第１のスマート・アプライアンスに第１のスマート・アプライアンスの登録アカウントを登録することで、第１のアプライアンスグループ内の複数のスマート・アプライアンスに対する管理を実現するようにし、スマート・アプライアンスに対する管理をより簡易、より高効率にする。
【００４９】
本発明の別の実施例において、第１のスマート・アプライアンスの登録アカウントに基づいて、第１のアプライアンスグループ内のスマート・アプライアンスを管理した後、
サーバによって第１のアプライアンスグループ内の何れかのスマート・アプライアンスである第３のスマート・アプライアンスが属しているアプライアンスグループが第１のアプライアンスグループから第２のアプライアンスグループに変更された場合に送信される通知メッセージを、サーバから受信するステップと、
受信した通知メッセージに基づいて、第３のスマート・アプライアンスを第１のアプライアンスグループから削除するステップと、をさらに含む。
【００５０】
上記すべての選択的な提案は任意に組み合わせられて本発明の選択的な実施例を構成し、ここでいちいち述べない。
【００５１】
図３は、１つの例示的な実施例に係るスマート・アプライアンスの管理アカウント設定方法のフローチャートであり、図３に示されたように、スマート・アプライアンスの管理アカウント設定方法は、スマート・アプライアンスに適用され、スマート・アプライアンスがスマートテレビ、スマート冷蔵庫、スマート洗濯機などのホームアプライアンスである場合を例にする。本発明の実施例に係る方法は、下記のステップを含む。
【００５２】
ステップ３０１において、第１のスマート・アプライアンスは、サーバに少なくとも第１のスマート・アプライアンスの登録アカウント、第１の位置情報、及びアプライアンス識別子が含まれている権限取得要求を送信する。
【００５３】
本実施例において、スマート・アプライアンスは、ＲＦ方式、またはネットワーク方式で他のアプライアンスと通信する機能を有する。このような機能によって、スマート・アプライアンスは、オン（ＯＮ）状態でＬＡＮに接続することができ、ＬＡＮのその他のスマート・アプライアンスと通信することができる。
【００５４】
実際の応用において、スマート・アプライアンスがＬＡＮに接続するケースは、下記の２つのケースを含むが、これらに限定されない。
【００５５】
第１のケース：スマート・アプライアンスは、ＷｉＦｉ（Ｗｉｒｅｌｅｓｓ−Ｆｉｄｅｌｉｔｙ）機能をオン（ＯＮ）させ、ＤＬＮＡ（Ｄｉｇｉｔａｌ Ｌｉｖｉｎｇ Ｎｅｔｗｏｒｋ Ａｌｌｉａｎｃｅ：デジタルリビングネットワークアライアンス）、Ｗｉ−Ｆｉディスプレイ（ＷｉＦｉ ｄｉｓｐｌａｙ）、エアプレイ（ａｉｒｐｌａｙ）、ａｉｒｋａｎなどのプロトコルを通じてルータに接続し、ルータを通じてＬＡＮに接続する。
【００５６】
第２のケース：スマート・アプライアンスは、受信したＧＰＲＳ（Ｇｅｎｅｒａｌ Ｐａｃｋｅｔ Ｒａｄｉｏ Ｓｅｒｖｉｃｅ）、または３Ｇ信号をＷｉＦｉ信号に変換してから送信し、その他のスマート・アプライアンスは、当該スマート・アプライアンスから送信されたＷｉＦｉ信号を受信し、当該ＷｉＦｉ信号を通じて互いに通信する。当該過程において、ＷｉＦｉ信号を受信した複数のスマート・アプライアンスは、１つのＬＡＮを構成する。
【００５７】
ＬＡＮ内の各スマート・アプライアンスを区別するために、本実施例では、ＬＡＮ内のユーザが現在使用しているスマート・アプライアンスを第１のスマート・アプライアンスと呼び、当該第１のスマート・アプライアンスは、ＬＡＮに新たにアクセスしたスマート・アプライアンスであってもよく、ＬＡＮ内の既存のスマート・アプライアンスであってもよく、本実施例では、第１のスマート・アプライアンスがＬＡＮに新たにアクセスしたスマート・アプライアンスである場合を例として説明する、という点に留意すべきである。また、本実施例では、第１のスマート・アプライアンスがサーバに権限取得要求を送信する際に権限取得要求に含まれている他のアプライアンス識別子に対応するスマート・アプライアンスを第２のスマート・アプライアンスと呼び、第１のアプライアンスグループ内のいずれかのスマート・アプライアンスを第３のスマート・アプライアンスと呼ぶ。
【００５８】
本実施例において、第１のスマート・アプライアンスがＬＡＮに接続されると、第１のスマート・アプライアンスは、ＬＡＮで少なくとも第１のスマート・アプライアンスの第１の身分識別子情報が含まれている第１のメッセージをブロードキャストする。ここで、第１の身分識別子情報は、ＬＡＮ内のスマート・アプライアンスが第１のスマート・アプライアンスの身分を検証するようにするためのものであり、当該第１の身分識別子情報は、第１のスマート・アプライアンスの公認認証書などでありうる。受信した第１のメッセージに基づいて、第１のスマート・アプライアンスがＬＡＮ内の何れかのスマート・アプライアンスの検証をパスした場合、第１のスマート・アプライアンスが当該スマート・アプライアンスの信頼できるアプライアンスであることを意味し、この場合、当該スマート・アプライアンスは、第１のスマート・アプライアンスにその身分を表示するための第２の身分識別子情報を送信する。第１のスマート・アプライアンスは、第２の身分識別子情報を受信すると、受信した第２の身分識別子情報に基づいて、当該スマート・アプライアンスを検証する。当該スマート・アプライアンスが第１のスマート・アプライアンスの検証をパスした場合、当該スマート・アプライアンスが第１のスマート・アプライアンスの信頼できるアプライアンスであることを意味する。即ち、当該スマート・アプライアンスと第１のスマート・アプライアンスは互いに信頼できるアプライアンスである。
【００５９】
本実施例において、ユーザは、スマート・アプライアンスがルータを通じてＬＡＮに接続される前に、ルータの設定画面に、信頼できるアプライアンスのアプライアンス識別子を予め入力することができる。何れかのスマート・アプライアンスがルータを通じてＬＡＮに接続すると、ルータは、当該スマート・アプライアンスのアプライアンス識別子が信頼できるアプライアンスのアプライアンス識別子であることを取得してルート公認認証書を生成し、生成したルート公認認証書を当該スマート・アプライアンスに送信する。この過程において、ＬＡＮに接続された複数のスマート・アプライアンスが互いに信頼できるスマート・アプライアンスである場合、ルータがこのようなスマート・アプライアンスに送信するルート公認認証書は同じである。したがって、上記内容に基づいて、第１のスマート・アプライアンスは、第２の身分識別子情報を送信したスマート・アプライアンスを検証するとき、受信した第２の身分識別子情報に含まれているルート公認認証書とローカルに記憶されているルート公認認証書をマッチングさせ、第２の身分識別子情報に含まれているルート公認認証書がローカルに記憶されているルート公認認証書と同じである場合、当該スマート・アプライアンスが第１のスマート・アプライアンスの検証をパスしたと確定する。
【００６０】
第１のスマート・アプライアンスがＬＡＮ内の少なくとも１つのスマート・アプライアンスと互いに信頼できるアプライアンスであると確定した場合、第１のスマート・アプライアンスは、自分のアプライアンス情報を各信頼できるアプライアンスに送信し、これとともに、各信頼できるスマート・アプライアンスも自分のアプライアンス情報を第１のスマート・アプライアンスに送信する。ここで、アプライアンス情報には、少なくとも描写情報、及び複数の配置オプションが含まれ、且つ、各配置オプションは、複数の配置パラメーターを含む。描写情報は、主にスマート・アプライアンスの特徴を描写するためのものであり、描写情報は、スマート・アプライアンスのアプライアンス名称、機種などであってもよく、本実施例において、描写情報は修正できないものである。配置オプションは、主にスマート・アプライアンスの機能を設定するためのものであり、異なるスマート・アプライアンスの配置オプションは異なる。スマート・アプライアンスがスマートテレビである場合を例にすると、配置オプションは、コントラストオプション、輝度オプション、音声オプションなどであり得る。本実施例において、配置オプションは修正できるものである。
【００６１】
上記過程は、第１のスマート・アプライアンスがＬＡＮ内で信頼できるスマート・アプライアンスを識別し、その信頼できるスマート・アプライアンスのアプライアンス情報を取得する過程であり、当該過程において、第１のスマート・アプライアンスがＬＡＮで信頼できるスマート・アプライアンスのアプライアンス情報を取得したとしても、各スマート・アプライアンスの管理アカウントが異なるため、第１のスマート・アプライアンスの登録アカウントは、その他のスマート・アプライアンスに対する管理権限を有しない。すなわち、ユーザが第１のスマート・アプライアンスに第１のスマート・アプライアンスの登録アカウントを登録することによって、第１のスマート・アプライアンスの管理センター画面にその信頼できるスマート・アプライアンスのアプライアンス情報が表示されるとしても、ユーザは、第１のスマート・アプライアンスでその信頼できるスマート・アプライアンスを管理することができない。ＬＡＮ内のその信頼できるスマート・アプライアンスを管理するために、第１のスマート・アプライアンスは、サーバからその信頼できるスマート・アプライアンスに対する管理権限を取得しなければならなく、このために、第１のスマート・アプライアンスは、サーバに少なくとも第１のスマート・アプライアンスの登録アカウント、第１の位置情報、及びアプライアンス識別子などが含まれている権限取得要求を送信することができる。ここで、第１のスマート・アプライアンスの登録アカウントは、ユーザが現在第１のスマート・アプライアンスに登録する時の登録アカウントであってもよく、ユーザが第１のスマート・アプライアンスに登録したことのある登録アカウントであってもよく、本実施例では第１のスマート・アプライアンスの登録アカウントに対して具体的に限定しない。第１の位置情報は、第１のスマート・アプライアンスが現在属しているＬＡＮを識別するためのものであり、当該第１の位置情報は、第１のスマート・アプライアンスが現在位置する地理位置であってもよく、第１のスマート・アプライアンスが現在使用しているＷｉＦｉホットスポット情報などであってもよい。第１のスマート・アプライアンスのアプライアンス識別子は、第１のスマート・アプライアンスのＩＤ（Ｉｄｅｎｔｉｔｙ）、第１のスマート・アプライアンスのシリアルナンバーなどであり得る。
【００６２】
ステップ３０２において、サーバは、第１のスマート・アプライアンスから送信された権限取得要求を受信すると、第１の位置情報に基づいて、位置情報とアプライアンスグループの間の対応関係から第１のアプライアンスグループを取得する。
【００６３】
通信分野において、各スマート・アプライアンスは、ＬＡＮに接続した後、いずれもサーバに少なくともスマート・アプライアンスの位置情報、及びアプライアンス識別子などが含まれている識別子情報を送信する。サーバは、各スマート・アプライアンスに対する管理の利便性のために、各スマート・アプライアンスから送信された識別子情報を受信すると、位置情報に応じて、複数のスマート・アプライアンスを異なるアプライアンスグループに区分する。スマート・アプライアンスの区分によって、同一のアプライアンスグループ内のスマート・アプライアンスの位置情報は同一のものになり、異なるアプライアンスグループ内のスマート・アプライアンスの位置情報は異なるものになる。即ち、同一のＬＡＮ内のスマート・アプライアンスが１つのアプライアンスグループを構成する。また、アプライアンスグループ内の各スマート・アプライアンスがいずれもアプライアンス識別子を有し、アプライアンス識別子とアプライアンスグループが一対一に対応するため、アプライアンス識別子、位置情報、及びアプライアンスグループの間には対応関係が存在する。後続の応用の便利性のために、サーバは、さらにアプライアンス識別子、位置情報、及びアプライアンスグループの対応関係を記憶する。
【００６４】
サーバは、アプライアンス識別子、位置情報、及びアプライアンスグループの対応関係を記憶した後、複数のスマート・アプライアンスから送信される識別子情報を受信し、当該識別子情報に含まれている位置情報とサーバに既に記憶されているアプライアンスグループの位置情報が異なるとしても、このようなスマート・アプライアンスのＩＤ、またはシリアルナンバーが既存のアプライアンスグループ内のスマート・アプライアンスのＩＤ、またはシリアルナンバーと大部分重なり、この場合、新しいアプライアンスグループを新たに生成する必要がなく、本来のアプライアンスグループを引き続き使用することができる、という点に留意すべきである。例えば、ユーザのホームルータに故障が発生してユーザが新しいルータをインストールした場合、ユーザのホームスマート・アプライアンスは、新しいＬＡＮに接続することになるため、サーバに識別子情報を新たに送信し、この場合、サーバは、ユーザのホームの本来のスマート・アプライアンスを依然として本来のアプライアンスグループに区分する。また、サーバが位置情報に基づいて１つのスマート・アプライアンスを１つのアプライアンスグループに区分した後、当該スマート・アプライアンスの位置情報が変わらない限り、またはユーザが当該スマート・アプライアンスをアプライアンスグループから削除しない限り、当該スマート・アプライアンスがオンライン状態にあるか否かと関係なく、当該スマート・アプライアンスが属しているアプライアンスグループは変更されない。
【００６５】
サーバは、記憶されているアプライアンス識別子、位置情報とアプライアンスグループの対応関係に基づいて、第１のスマート・アプライアンスから送信された権限取得要求を受信すると、第１の位置情報によって、位置情報とアプライアンスグループの対応関係から第１の位置情報に対応する第１のアプライアンスグループを取得する。
【００６６】
ステップ３０３において、サーバは、第１のスマート・アプライアンスのアプライアンス識別子、予め記憶されているアプライアンス識別子とアプライアンスグループの対応関係に基づいて、第１のスマート・アプライアンスが第１のアプライアンスグループに属しているか否かを判断し、ＹＥＳの場合、ステップ３０４を実行し、ＮＯの場合、第１のスマート・アプライアンスから送信された権限取得要求を無視する。
【００６７】
第１のアプライアンスグループ内のスマート・アプライアンスの情報保安性を高め、他の信頼できないスマート・アプライアンスが第１のアプライアンスグループが属しているＬＡＮに接続した後に第１のアプライアンスグループ内のスマート・アプライアンスを管理することを防止するために、サーバは、第１のスマート・アプライアンスから送信された権限取得要求を受信し、第１の位置情報に基づいて対応する第１のアプライアンスグループを取得した後、さらに第１のスマート・アプライアンスが第１のアプライアンスグループに属しているか否かを判断する。第１のスマート・アプライアンスが第１のアプライアンスグループに属している場合、第１のスマート・アプライアンスと第１のアプライアンスグループ内のスマート・アプライアンスが互いに信頼できるスマート・アプライアンスであることを意味し、この場合、サーバは、第１のスマート・アプライアンスに第１のアプライアンスグループ内のスマート・アプライアンスに対する管理権限を付与する。第１のスマート・アプライアンスが第１のアプライアンスグループに属していない場合、第１のスマート・アプライアンスと第１のアプライアンスグループ内のスマート・アプライアンスが互いに信頼できないスマート・アプライアンスであることを意味し、この場合、サーバは、第１のスマート・アプライアンスから送信された権限取得要求を無視してもよく、第１のスマート・アプライアンスから送信された権限取得要求を拒絶し、第１のスマート・アプライアンスに「当該アプライアンスの保安性が低くて、アプライアンスグループ内のアプライアンスを管理できない」などの拒絶メッセージをフィードバックしてもよい。もちろん、サーバは、他の方式を採用してもよく、本実施例はこれに対して具体的に限定しない。
【００６８】
本実施例において、サーバに予めアプライアンス識別子、位置情報とアプライアンスグループの対応関係が記憶されているため、サーバは、第１のスマート・アプライアンスから送信された権限取得要求を受信すると、第１のスマート・アプライアンスのアプライアンス識別子、予め記憶されているアプライアンス識別子、位置情報、及びアプライアンスグループの対応関係に基づいて、第１のスマート・アプライアンスが既に第１のアプライアンスグループに属しているか否かを判断することができる。例えば、予め記憶されている第１のアプライアンスグループに対応するアプライアンス識別子がＡ、Ｂ、Ｃである場合、第１のスマート・アプライアンスのアプライアンス識別子がＡであると、第１のスマート・アプライアンスが第１のアプライアンスグループに属していると確定することができ、第１のスマート・アプライアンスのアプライアンス識別子がＤであると、第１のスマート・アプライアンスが第１のアプライアンスグループに属していないと確定することができる。
【００６９】
ステップ３０４において、サーバは、第１のスマート・アプライアンスの登録アカウントを第１のアプライアンスグループの管理アカウントに設定する。
【００７０】
第１のアプライアンスグループ内のスマート・アプライアンスが第１のスマート・アプライアンスと互いに信頼できるアプライアンスであり、第１のスマート・アプライアンスの登録アカウントで第１のアプライアンスグループ内のスマート・アプライアンスを管理するときの保安性が高いため、サーバは、第１のスマート・アプライアンスの登録アカウントを第１のアプライアンスグループの管理アカウントに設定する。
【００７１】
ステップ３０５において、サーバは、第１のスマート・アプライアンス、及び第１のアプライアンスグループ内のスマート・アプライアンスに授権メッセージを送信する。
【００７２】
サーバは、第１のスマート・アプライアンスの登録アカウントを第１のアプライアンスグループの管理アカウントに設定した後、第１のスマート・アプライアンス、及びアプライアンスグループ内のスマート・アプライアンスに第１のアプライアンスグループの管理アカウントを知らせるために、さらに第１のスマート・アプライアンス、及び第１のアプライアンスグループ内のスマート・アプライアンスに、第１のアプライアンスグループの管理アカウントが第１のスマート・アプライアンスの登録アカウントであることを通知するための授権メッセージを送信する。
【００７３】
ステップ３０６において、第１のスマート・アプライアンスは、授権メッセージを受信すると、第１のスマート・アプライアンスの登録アカウントに基づいて、第１のアプライアンスグループ内のスマート・アプライアンスを管理する。
【００７４】
第１のスマート・アプライアンスは、授権メッセージを受信すると、第１のスマート・アプライアンスの登録アカウントに基づいて、第１のアプライアンスグループ内のスマート・アプライアンスを管理することができる。例えば、第１のスマート・アプライアンスは、その管理センター画面で第１のアプライアンスグループ内の任意のスマート・アプライアンスの任意の配置オプションなどを修正することができる。もちろん、第１のアプライアンスグループ内のその他のスマート・アプライアンスも、第１のスマート・アプライアンスの登録アカウントで第１のアプライアンスグループ内の任意のスマート・アプライアンスを管理することができる。
【００７５】
本実施例において、第１のスマート・アプライアンスは、第１のスマート・アプライアンスの登録アカウントに基づいて第１のアプライアンスグループ内のスマート・アプライアンスを管理した後、さらに管理センター画面にそのアプライアンス識別子を表示し、当該アプライアンス識別子の表示形態は、様々な形態があり、文字形態であってもよく、音声形態であってもよく、パターン形態などであってもよい。
【００７６】
本実施例において、第３のスマート・アプライアンスの位置情報が第１の位置情報から第２の位置情報に変更された場合、第３のスマート・アプライアンスは、サーバに位置更新メッセージを送信する。サーバは、位置更新メッセージを受信すると、第３のスマート・アプライアンスを第１のアプライアンスグループから第２のアプライアンスグループに区分する。当該第２のアプライアンスグループに対応する位置情報は、第２の位置情報である。この場合、第１のアプライアンスグループ内のスマート・アプライアンスは、もはや管理権限を有しない。当該スマート・アプライアンスが第１のアプライアンスグループ内のスマート・アプライアンスの自分に対する管理を許容し、当該スマート・アプライアンスの表示画面に確認ダイアローグボックスが出てきた時にユーザが確認オプションを選択したことが検出されると、当該スマート・アプライアンスは、第１のアプライアンスグループ内のスマート・アプライアンスの自分に対する管理を引き続き許容する。また、第１のアプライアンスグループ内の他のスマート・アプライアンスに第３のスマート・アプライアンスの位置情報の変化状況を知らせるために、サーバは、第３のスマート・アプライアンスから送信された位置更新メッセージを受信した後、受信した位置更新メッセージを第１のスマート・アプライアンスに送信して第１のスマート・アプライアンスが管理センター画面で第３のスマート・アプライアンスを第１のアプライアンスグループから削除するようにする。
【００７７】
アプライアンスグループ内のスマート・アプライアンスの情報保安性を高めるために、各スマート・アプライアンスの管理アカウントに対して１つの管理パスワードを設定し、何れかのスマート・アプライアンスが管理アカウントで他のスマート・アプライアンスを管理しようとする場合、管理パスワードを正確に入力しないと管理することができなくなることに留意すべきである。
【００７８】
本発明の実施例に係る方法によれば、第１のホームアプライアンスのアプライアンス識別子、予め記憶されているアプライアンス識別子とアプライアンスグループの対応関係に基づいて、第１のホームアプライアンスが第１のアプライアンスグループに属していると判断し、第１のアプライアンスグループ内のホームアプライアンスに対する第１のホームアプライアンスの管理権限が確定されると、第１のホームアプライアンスの登録アカウントを第１のアプライアンスグループの管理アカウントに設定することによって、ユーザが第１のホームアプライアンスに第１のホームアプライアンスの登録アカウントを登録することで、第１のアプライアンスグループ内の複数のホームアプライアンスに対する管理を実現するようにし、ホームアプライアンスに対する管理をより簡易、より高効率にする。この上、サーバは、第１のホームアプライアンス、及び第１のアプライアンスグループ内のホームアプライアンスに授権メッセージを送信して、第１のホームアプライアンス、及び第１のアプライアンスグループ内のホームアプライアンスが第１のアプライアンスグループの管理アカウントを即時に得るようにし、管理の時効性をより高める。
【００７９】
図４は、１つの例示的な実施例に係るスマート・アプライアンスの管理アカウント設定方法のフローチャートであり、図４に示されたように、スマート・アプライアンスの管理アカウント設定方法は、スマート・アプライアンスに適用され、当該スマート・アプライアンスは、携帯電話、タブレットＰＣなどの移動性が強いアプライアンスである。本発明の実施例に係る方法は、下記のステップを含む。
【００８０】
ステップ４０１において、第１のスマート・アプライアンスはＬＡＮに接続する。
【００８１】
本実施例において、スマート・アプライアンスは、ＲＦ方式、またはネットワーク方式で他のアプライアンスと通信する機能を有する。このような機能によって、スマート・アプライアンスは、オン（ＯＮ）状態でＬＡＮに接続することができ、ＬＡＮのその他のスマート・アプライアンスと通信することができる。
【００８２】
実際の応用において、スマート・アプライアンスがＬＡＮに接続するケースは、下記の２つのケースを含むが、これらに限定されない。
【００８３】
第１のケース：スマート・アプライアンスは、ＷｉＦｉ機能をオン（ＯＮ）させ、ＤＬＮＡ、Ｗｉ−Ｆｉディスプレイ（ＷｉＦｉ ｄｉｓｐｌａｙ）、エアプレイ（ａｉｒｐｌａｙ）、ａｉｒｋａｎなどのプロトコルを通じてルータに接続し、ルータを通じてＬＡＮに接続する。
【００８４】
第２のケース：スマート・アプライアンスは、受信したＧＰＲＳ、または３Ｇ信号をＷｉＦｉ信号に変換してから送信し、その他のスマート・アプライアンスは、当該スマート・アプライアンスから送信されたＷｉＦｉ信号を受信し、当該ＷｉＦｉ信号を通じて互いに通信する。当該過程において、ＷｉＦｉ信号を受信した複数のスマート・アプライアンスは、１つのＬＡＮを構成する。
【００８５】
ＬＡＮ内の各スマート・アプライアンスを区別するために、本実施例では、ＬＡＮ内のユーザが現在使用しているスマート・アプライアンスを第１のスマート・アプライアンスと呼び、当該第１のスマート・アプライアンスは、ＬＡＮに新たにアクセスしたスマート・アプライアンスであってもよく、ＬＡＮ内の既存のスマート・アプライアンスであってもよく、本実施例では、第１のスマート・アプライアンスがＬＡＮに新たにアクセスしたスマート・アプライアンスである場合を例として説明する、という点に留意すべきである。第２のスマート・アプライアンスは、第１のスマート・アプライアンスがサーバに権限取得要求を送信する際に権限取得要求に含まれているアプライアンス識別子に対応するスマート・アプライアンスである。
【００８６】
ステップ４０２において、第１のスマート・アプライアンスは、サーバに少なくとも第１のスマート・アプライアンスの登録アカウント、第１の位置情報、及びアプライアンス識別子が含まれている権限取得要求を送信する。
【００８７】
ＬＡＮ内のスマート・アプライアンスを管理するために、第１のスマート・アプライアンスは、ＬＡＮにアクセスした後、サーバに少なくとも第１のスマート・アプライアンスの登録アカウント、第１の位置情報、及びアプライアンス識別子などが含まれている権限取得要求を送信する。
【００８８】
ここで、第１のスマート・アプライアンスの登録アカウントは、ユーザが現在第１のスマート・アプライアンスに登録する時の登録アカウントであってもよく、ユーザが第１のスマート・アプライアンスに登録したことのある登録アカウントであってもよく、本実施例では第１のスマート・アプライアンスの登録アカウントに対して具体的に限定しない。第１の位置情報は、第１のスマート・アプライアンスが現在属しているＬＡＮを識別するためのものであり、当該第１の位置情報は、第１のスマート・アプライアンスが現在位置する地理位置であってもよく、第１のスマート・アプライアンスが現在使用しているＷｉＦｉホットスポット情報などであってもよい。第１のスマート・アプライアンスのアプライアンス識別子は、第１のスマート・アプライアンスのＩＤ、第１のスマート・アプライアンスのシリアルナンバーなどであり得る。
【００８９】
ステップ４０３において、サーバは、第１のスマート・アプライアンスから送信された権限取得要求を受信すると、第１の位置情報に基づいて、位置情報とアプライアンスグループの間の対応関係から第１のアプライアンスグループを取得する。
【００９０】
通信分野において、各スマート・アプライアンスは、ＬＡＮに接続した後、いずれもサーバに少なくともスマート・アプライアンスの位置情報、及びアプライアンス識別子などが含まれている識別子情報を送信する。サーバは、各スマート・アプライアンスに対する管理の便利性のために、各スマート・アプライアンスから送信された識別子情報を受信すると、位置情報に応じて、複数のスマート・アプライアンスを異なるアプライアンスグループに区分する。スマート・アプライアンスの区分によって、同一のアプライアンスグループ内のスマート・アプライアンスの位置情報は同じものになり、異なるアプライアンスグループ内のスマート・アプライアンスの位置情報は異なるものになる。即ち、同一のＬＡＮ内のスマート・アプライアンスが１つのアプライアンスグループを構成する。また、アプライアンスグループ内の各スマート・アプライアンスがいずれもアプライアンス識別子を有し、アプライアンス識別子とアプライアンスグループが一対一に対応するため、アプライアンス識別子、位置情報、及びアプライアンスグループの間には対応関係が存在する。後続の応用の便利性のために、サーバは、さらにアプライアンス識別子、位置情報とアプライアンスグループの対応関係を記憶する。
【００９１】
サーバは、記憶されているアプライアンス識別子、位置情報とアプライアンスグループの対応関係に基づいて、第１のスマート・アプライアンスから送信された権限取得要求を受信すると、第１の位置情報によって、位置情報とアプライアンスグループの対応関係から第１の位置情報に対応する第１のアプライアンスグループを取得する。
【００９２】
ステップ４０４において、サーバは、第１のスマート・アプライアンスのアプライアンス識別子、予め記憶されているアプライアンス識別子とアプライアンスグループの対応関係に基づいて、第１のスマート・アプライアンスが第１のアプライアンスグループに属しているか否かを判断し、ＹＥＳの場合、ステップ４０５を実行し、ＮＯの場合、第１のスマート・アプライアンスから送信された権限取得要求を無視する。
【００９３】
ステップ４０５において、サーバは、第１のスマート・アプライアンスが第１のアプライアンスグループ内のスマート・アプライアンスに対する管理権限を有すると確定した場合、第１のスマート・アプライアンスの登録アカウントを第１のアプライアンスグループの管理アカウントに設定する。
【００９４】
本実施例において、サーバが第１のスマート・アプライアンスが第１のアプライアンスグループ内のスマート・アプライアンスに対する管理権限を有すると確定するケースは、三種類がある。
【００９５】
第１のケース：第１のスマート・アプライアンスは、第１のアプライアンスグループが属しているＬＡＮに接続すると、サーバに権限取得要求を送信し、サーバは、第１のスマート・アプライアンスが属しているアプライアンスグループが第１のアプライアンスグル−ムであると確定すると、第１のスマート・アプライアンスが第１のアプライアンスグループ内のスマート・アプライアンスに対する管理権限を有すると確定する。
【００９６】
第２のケース：第１のスマート・アプライアンスは、第２のスマート・アプライアンスのアプライアンス識別子を取得し、当該第２のスマート・アプライアンスのアプライアンス識別子を権限取得要求に含ませてサーバに送信し、サーバは、第１のアプライアンスグループに第２のスマート・アプライアンスのアプライアンス識別子と同一のアプライアンス識別子が存在するか否かを検索し、第１のアプライアンスグループに第２のスマート・アプライアンスのアプライアンス識別子と同一のアプライアンス識別子が存在する場合、サーバは、第１のスマート・アプライアンスが第１のアプライアンスグループ内のスマート・アプライアンスに対する管理権限を有すると確定する。ここで、第１のスマート・アプライアンスが第２のスマート・アプライアンスのアプライアンス識別子を取得する方式は、第２のスマート・アプライアンスの管理センター画面上のアプライアンス識別子を処理することによって第２のスマート・アプライアンスのアプライアンス識別子を取得する方式を含むが、これに限定されない。
【００９７】
情報の保安性を向上させるために、第１のスマート・アプライアンスが、取得した第２のスマート・アプライアンスのアプライアンス識別子に基づいてサーバに権限取得要求を送信する時、一定の時効性を有する。第１のスマート・アプライアンスが指定された時間内にサーバに権限取得要求を送信した場合、サーバは、当該権限取得要求を処理し、第１のスマート・アプライアンスが指定された時間以外にサーバに権限取得要求を送信した場合、サーバは、当該権限取得要求を処理しない。ここで、権限取得要求の時効性は、具体的に第２のスマート・アプライアンスのアプライアンス識別子に含まれている時間情報により表現されるか、または、サーバが、権限取得要求を受信した時間を基点として、第１のスマート・アプライアンスから送信された権限取得要求に対してカウントすることによって表現される。
【００９８】
第３のケース：第１のスマート・アプライアンスは、第１のアプライアンスグループが属しているＬＡＮに接続し、アプライアンス検索ステップにおいて第１のアプライアンスグループ内のスマート・アプライアンスと互いに信頼できるスマート・アプライアンスであることを確認し、その後、サーバは、第１のスマート・アプライアンスから送信された権限取得要求を受信し、権限取得要求に含まれている位置情報に基づいて、第１のスマート・アプライアンスが属しているアプライアンスグループが第１のアプライアンスグループであり、且つ第１のスマート・アプライアンスと第１のアプライアンスグループ内のスマート・アプライアンスが互いに信頼できるスマート・アプライアンスであると確定すると、第１のスマート・アプライアンスが第１のアプライアンスグループ内のスマート・アプライアンスに対する管理権限を有すると確定する。
【００９９】
サーバは、第１のスマート・アプライアンスの登録アカウントを第１のアプライアンスグループの管理アカウントに設定する。
【０１００】
第１のアプライアンスグループ内のスマート・アプライアンスが第１のスマート・アプライアンスと互いに信頼できるアプライアンスであり、第１のスマート・アプライアンスの登録アカウントで第１のアプライアンスグループ内のスマート・アプライアンスを管理するときの保安性が高いため、サーバは、第１のスマート・アプライアンスの登録アカウントを第１のアプライアンスグループの管理アカウントに設定する。
【０１０１】
ステップ４０６において、サーバは、第１のスマート・アプライアンス、及び第１のアプライアンスグループ内のスマート・アプライアンスに授権メッセージを送信する。
【０１０２】
サーバは、第１のスマート・アプライアンスの登録アカウントを第１のアプライアンスグループの管理アカウントに設定した後、第１のスマート・アプライアンス、及びアプライアンスグループ内のスマート・アプライアンスに第１のアプライアンスグループ内の管理アカウントを知らせるために、さらに第１のスマート・アプライアンス、及び第１のアプライアンスグループ内のスマート・アプライアンスに、第１のアプライアンスグループの管理アカウントが第１のスマート・アプライアンスの登録アカウントであることを通知するための授権メッセージを送信する。
【０１０３】
ステップ４０７において、第１のスマート・アプライアンスは、授権メッセージを受信すると、第１のスマート・アプライアンスの登録アカウントに基づいて、第１のアプライアンスグループ内のスマート・アプライアンスを管理する。
【０１０４】
第１のスマート・アプライアンスは、授権メッセージを受信すると、第１のスマート・アプライアンスの登録アカウントに基づいて、第１のアプライアンスグループ内のスマート・アプライアンスを管理することができる。例えば、第１のスマート・アプライアンスは、その管理センター画面で第１のアプライアンスグループ内の任意のスマート・アプライアンスの任意の配置オプションなどを修正することができる。もちろん、第１のアプライアンスグループ内の他のスマート・アプライアンスも、第１のスマート・アプライアンスの登録アカウントで第１のアプライアンスグループ内の任意のスマート・アプライアンスを管理することができる。
【０１０５】
本発明の実施例に係る方法によれば、第１のアプライアンスグループ内のホームアプライアンスに対する移動端末の管理権限を確定した場合、移動端末の登録アカウントを第１のアプライアンスグループの管理アカウントに設定することによって、ユーザが移動端末に移動端末の登録アカウントを登録することで、第１のアプライアンスグループ内の複数のホームアプライアンスに対する管理を実現するようにし、ホームアプライアンスに対する管理をより簡易、より高効率にする。この上、サーバは、移動端末、及び第１のアプライアンスグループ内のホームアプライアンスに授権メッセージを送信して、移動端末、及び第１のアプライアンスグループ内のホームアプライアンスが第１のアプライアンスグループの管理アカウントを即時に得るようにし、管理の時効性をより高める。
【０１０６】
図５は、１つの例示的な実施例に係るサーバの構成模式図である。図５を参照すると、当該サーバは、第１の受信モジュール５０１、取得モジュール５０２、第１の設定モジュール５０３、及び第１の送信モジュール５０４を含む。
【０１０７】
当該第１の受信モジュール５０１は、第１のスマート・アプライアンスから、少なくとも第１のスマート・アプライアンスの登録アカウント、及び第１の位置情報が含まれている権限取得要求を受信するように構成される。
【０１０８】
当該取得モジュール５０２は、第１の位置情報に基づいて、位置情報とアプライアンスグループの間の対応関係から第１のアプライアンスグループを取得するように構成される。
【０１０９】
当該第１の設定モジュール５０３は、第１のスマート・アプライアンスが第１のアプライアンスグループ内のスマート・アプライアンスに対する管理権限を有すると確定した場合、第１のスマート・アプライアンスの登録アカウントを第１のアプライアンスグループの管理アカウントに設定するように構成される。
【０１１０】
当該第１の送信モジュール５０４は、第１のスマート・アプライアンス、及び第１のアプライアンスグループ内のスマート・アプライアンスに、第１のアプライアンスグループの管理アカウントが第１のスマート・アプライアンスの登録アカウントであることを通知するための授権メッセージを送信して、第１のスマート・アプライアンス、及び第１のアプライアンスグループ内のスマート・アプライアンスが第１のスマート・アプライアンスの登録アカウントに基づいて、第１のアプライアンスグループ内のスマート・アプライアンスを管理するように構成される。
【０１１１】
本発明の別の実施例において、権限取得要求には、第１のスマート・アプライアンスのアプライアンス識別子がさらに含まれ、
当該サーバは、判断モジュールと、第１の確定モジュールをさらに含む。
【０１１２】
当該判断モジュールは、第１のスマート・アプライアンスのアプライアンス識別子、予め記憶されているアプライアンス識別子とアプライアンスグループの対応関係に基づいて、第１のスマート・アプライアンスが第１のアプライアンスグループに属しているか否かを判断するように構成される。
【０１１３】
当該第１の確定モジュールは、第１のスマート・アプライアンスが第１のアプライアンスグループに属している場合、第１のスマート・アプライアンスが第１のアプライアンスグループ内のスマート・アプライアンスに対する管理権限を有すると確定するように構成される。
【０１１４】
本発明の別の実施例において、権限取得要求には、第２のスマート・アプライアンスのアプライアンス識別子がさらに含まれ、
当該サーバは、検索モジュールと、第２の確定モジュールをさらに含む。
【０１１５】
当該検索モジュールは、第１のアプライアンスグループに第２のスマート・アプライアンスのアプライアンス識別子と同一のアプライアンス識別子が存在するか否かを検索するように構成される。
【０１１６】
当該第２の確定モジュールは、第１のアプライアンスグループに第２のスマート・アプライアンスのアプライアンス識別子と同一のアプライアンス識別子が存在する場合、第１のスマート・アプライアンスが第１のアプライアンスグループ内のスマート・アプライアンスに対する管理権限を有すると確定するように構成される。
【０１１７】
本発明の別の実施例において、当該サーバは、第２の受信モジュール、区分モジュール、及び記憶モジュールをさらに含む。
【０１１８】
当該第２の受信モジュールは、複数のスマート・アプライアンスから、少なくとも位置情報、及びアプライアンス識別子が含まれているアプライアンス情報を受信するように構成される。
【０１１９】
当該区分モジュールは、位置情報に応じて、複数のスマート・アプライアンスを異なるアプライアンスグループに区分するように構成される。
【０１２０】
当該記憶モジュールは、アプライアンス識別子、位置情報とアプライアンスグループの対応関係を記憶するように構成される。
【０１２１】
本発明の別の実施例において、当該サーバは、第３の受信モジュールと、変更モジュールをさらに含む。
【０１２２】
当該第３の受信モジュールは、第１のアプライアンスグループ内の何れかのスマート・アプライアンスである第３のスマート・アプライアンスから、第３のスマート・アプライアンスの位置情報が第１の位置情報から第２の位置情報に変更されたことを通知するための位置更新メッセージを受信するように構成される。
【０１２３】
当該変更モジュールは、位置更新メッセージに基づいて、第３のスマート・アプライアンスが属しているアプライアンスグループを、第１のアプライアンスグループから対応する位置情報が第２の位置情報である第２のアプライアンスグループに変更するように構成される。
【０１２４】
本発明の別の実施例において、当該サーバは、第２の送信モジュールをさらに含む。
【０１２５】
当該第２の送信モジュールは、第１のスマート・アプライアンスが第３のスマート・アプライアンスを第１のアプライアンスグループから削除するように通知するための通知メッセージを、第１のスマート・アプライアンスに送信するように構成される。
【０１２６】
本発明の別の実施例において、当該サーバは、第２の設定モジュールをさらに含む。
【０１２７】
当該第２の設定モジュールは、第１のアプライアンスグループの管理アカウントに対して管理パスワードを設定するように構成される。
【０１２８】
本発明の実施例に係るサーバによれば、第１のアプライアンスグループ内のスマート・アプライアンスに対する第１のスマート・アプライアンスの管理権限を確定すると、第１のスマート・アプライアンスの登録アカウントを第１のアプライアンスグループの管理アカウントに設定することによって、ユーザが第１のスマート・アプライアンスに第１のスマート・アプライアンスの登録アカウントを登録することで、第１のアプライアンスグループ内の複数のスマート・アプライアンスに対する管理を実現するようにし、スマート・アプライアンスに対する管理をより簡易、より高効率にする。
【０１２９】
上記実施例の装置において、その各モジュールが動作を行う具体的な方式は、既に関連する方法実施例で詳しく説明したので、ここで詳細な説明をしない。
【０１３０】
図６は、１つの例示的な実施例に係るスマート・アプライアンスの構成模式図である。図６を参照すると、当該スマート・アプライアンスは、送信モジュール６０１、第１の受信モジュール６０２、及び管理モジュール６０３を含む。
【０１３１】
当該送信モジュール６０１は、サーバに少なくとも第１のスマート・アプライアンスの登録アカウント、及び第１の位置情報が含まれている権限取得要求を送信して、サーバが第１の位置情報に基づいて、位置情報とアプライアンスグループの間の対応関係から第１のアプライアンスグループを取得し、第１のスマート・アプライアンスが第１のアプライアンスグループ内のスマート・アプライアンスに対する管理権限を有すると確定した場合、第１のスマート・アプライアンスの登録アカウントを第１のアプライアンスグループの管理アカウントに設定するように構成される。
【０１３２】
当該第１の受信モジュール６０２は、サーバから、第１のアプライアンスグループの管理アカウントが第１のスマート・アプライアンスの登録アカウントであることを通知するための授権メッセージを受信するように構成される。
【０１３３】
当該管理モジュール６０３は、第１のスマート・アプライアンスの登録アカウントに基づいて、第１のアプライアンスグループ内のスマート・アプライアンスを管理するように構成される。
【０１３４】
本発明の別の実施例において、スマート・アプライアンスは、第２の受信モジュールと、削除モジュールをさらに含む。
【０１３５】
当該第２の受信モジュールは、サーバによって第１のアプライアンスグループ内の何れかのスマート・アプライアンスである第３のスマート・アプライアンスが属しているアプライアンスグループが第１のアプライアンスグループから第２のアプライアンスグループに変更された場合に送信される通知メッセージを、サーバから受信するように構成される。
【０１３６】
当該削除モジュールは、受信した通知メッセージに基づいて、第３のスマート・アプライアンスを第１のアプライアンスグループから削除するように構成される。
【０１３７】
本発明の実施例に係るスマート・アプライアンスによれば、サーバに少なくとも第１のスマート・アプライアンスの登録アカウント、及び第１の位置情報が含まれている権限取得要求を送信して、サーバによって第１のアプライアンスグループ内のスマート・アプライアンスに対する第１のスマート・アプライアンスの管理権限が確定され、第１のスマート・アプライアンスの登録アカウントが第１のアプライアンスグループの管理アカウントに設定された後、サーバから送信された授権メッセージを受信することによって、ユーザが第１のスマート・アプライアンスに第１のスマート・アプライアンスの登録アカウントを登録することで、第１のアプライアンスグループ内の複数のスマート・アプライアンスに対する管理を実現するようにし、スマート・アプライアンスに対する管理をより簡易、より高効率にする。
【０１３８】
図７は、１つの例示的な実施例に係るスマート・アプライアンスの管理アカウント設定用装置７００のブロック図である。例えば、装置７００は、携帯電話、コンピュータ、デジタル放送端末、メッセージ送受信装置、ゲームコンソール、タブレット装置、医療設備、フィットネス装置、ＰＤＡなどである。
【０１３９】
図７を参照すると、装置７００は、プロセスアセンブリ７０２、メモリ７０４、電源アセンブリ７０６、マルチメディアアセンブリ７０８、オーディオアセンブリ７１０、入出力（Ｉ／Ｏ）インタフェース７１２、センサアセンブリ７１４、及び通信アセンブリ７１６のような１つ或いは複数のアセンブリを含んでもよい。
【０１４０】
プロセスアセンブリ７０２は、一般的には装置７００の全体の動作を制御するものであり、例えば、表示、電話呼び出し、データ通信、カメラ操作、及び記録操作と関連する操作を制御する。プロセスアセンブリ７０２は、１つ以上のプロセッサ７２０を含み、これらによって命令を実行することにより、上記の方法の全部、或は一部のステップを実現するようにしてもよい。なお、プロセスアセンブリ７０２は、１つ以上のモジュールを含んでプロセスアセンブリ７０２と他のアセンブリの間のインタラクションを容易にしてもよい。例えば、プロセスアセンブリ７０２は、マルチメディアモジュールを含んでマルチメディアアセンブリ７０８とプロセスアセンブリ７０２の間のインタラクションを容易にしてもよい。
【０１４１】
メモリ７０４は、各種類のデータを記憶することにより装置７００の動作を支援するように構成される。これらのデータの例は、装置７００において操作されるいずれのアプリケーションプログラム又は方法の命令、連絡対象データ、電話帳データ、メッセージ、画像、ビデオ等を含む。メモリ７０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１４２】
電源アセンブリ７０６は、装置７００の各アセンブリに電力を供給する。電源アセンブリ７０６は、電源管理システム、１つ或いは複数の電源、及び装置７００のための電力の生成、管理、及び割り当てに関連する他のアセンブリを含んでもよい。
【０１４３】
マルチメディアアセンブリ７０８は、上記装置７００とユーザの間に１つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、１つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ７０８は、１つのフロントカメラ、及び／又はリアカメラを含む。装置７００が、例えば撮影モード、或はビデオモード等の操作モードにある場合、フロントカメラ、及び／又はリアカメラは外部からマルチメディアデータを受信できる。フロントカメラとリアカメラのそれぞれは、１つの固定型の光レンズ系、或は可変焦点距離と光学ズーム機能を有するものであってもよい。
【０１４４】
オーディオアセンブリ７１０は、オーディオ信号を入出力するように構成される。例えば、オーディオアセンブリ７１０は、１つのマイク（ＭＩＣ）を含み、装置７００が、例えば呼出しモード、記録モード、及び音声認識モード等の操作モードにある場合、マイクは外部のオーディオ信号を受信することができる。受信されたオーディオ信号は、さらにメモリ７０４に記憶されたり、通信アセンブリ７１６を介して送信されたりする。部分実施例において、オーディオアセンブリ７１０は、オーディオ信号を出力するための１つのスピーカーをさらに含む。
【０１４５】
Ｉ／Ｏインタフェース７１２は、プロセスアセンブリ７０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１４６】
センサアセンブリ７１４は、装置７００に各方面の状態に対する評価を提供するための１つ以上のセンサを含む。例えば、センサアセンブリ７１４は、装置７００のＯＮ／ＯＦＦ状態、装置７００のディスプレイとキーパッドのようなアセンブリの相対的な位置決めを検出できる。また、センサアセンブリ７１４は、装置７００、或いは装置７００の１つのアセンブリの位置変更、ユーザと装置７００とが接触しているか否か、装置７００の方位、又は加速／減速、装置７００の温度の変化を検出できる。センサアセンブリ７１４は、何れの物理的接触がない状態にて付近の物体の存在を検出するための近接センサを含んでもよい。センサアセンブリ７１４は、撮影アプリケーションに適用するため、ＣＭＯＳ、又はＣＣＤ画像センサのような光センサを含んでもよい。部分実施例において、当該センサアセンブリ７１４は、加速度センサ、ジャイロスコープセンサ、磁気センサ、圧力センサ、及び温度センサをさらに含んでもよい。
【０１４７】
通信アセンブリ７１６は、装置７００と他の機器の間に有線、又は無線形態の通信を提供する。装置７００は、例えばＷｉＦｉ、２Ｇ、３Ｇ、或はこれらの組み合わせのような、通信規格に基づいた無線ネットワークに接続されてもよい。１つの例示的な実施例において、通信アセンブリ７１６は、放送チャンネルを介して外部の放送管理システムからの放送信号、又は放送に関連する情報を受信する。１つの例示的な実施例において、上記通信アセンブリ７１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、及び他の技術に基づいて実現できる。
【０１４８】
例示的な実施例において、装置７００は、１つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１４９】
例示的な実施例において、命令を含むコンピュータ読取り可能な非一時的な記録媒体、例えば命令を含むメモリ７０４をさらに提供し、装置７００のプロセッサ７２０により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０１５０】
コンピュータ読取り可能な非一時的な記録媒体は、上記記録媒体に記録されている命令が移動端末のプロセッサにより実行されるとき、移動端末がスマート・アプライアンスの管理アカウント設定方法を実行できるようにし、上記方法は、
サーバに少なくとも第１のスマート・アプライアンスの登録アカウント、及び第１の位置情報が含まれている権限取得要求を送信して、サーバが第１の位置情報に基づいて、位置情報とアプライアンスグループの間の対応関係から第１のアプライアンスグループを取得し、第１のスマート・アプライアンスが第１のアプライアンスグループ内のスマート・アプライアンスに対する管理権限を有すると確定した場合、第１のスマート・アプライアンスの登録アカウントを第１のアプライアンスグループの管理アカウントに設定するようにするステップと、
サーバから、第１のアプライアンスグループの管理アカウントが第１のスマート・アプライアンスの登録アカウントであることを通知するための授権メッセージを受信するステップと、
第１のスマート・アプライアンスの登録アカウントに基づいて、第１のアプライアンスグループ内のスマート・アプライアンスを管理するステップと、を含む。
【０１５１】
本発明の別の実施例において、第１のスマート・アプライアンスの登録アカウントに基づいて、第１のアプライアンスグループ内のスマート・アプライアンスを管理した後、
サーバによって第１のアプライアンスグループ内の何れかのスマート・アプライアンスである第３のスマート・アプライアンスが属しているアプライアンスグループが第１のアプライアンスグループから第２のアプライアンスグループに変更された場合に送信される通知メッセージを、サーバから受信するステップと、
受信した通知メッセージに基づいて、第３のスマート・アプライアンスを第１のアプライアンスグループから削除するステップと、をさらに含む。
【０１５２】
本発明の実施例に係るコンピュータ読取り可能な非一時的な記録媒体によれば、サーバに少なくとも第１のスマート・アプライアンスの登録アカウント、及び第１の位置情報が含まれている権限取得要求を送信して、サーバによって第１のアプライアンスグループ内のスマート・アプライアンスに対する第１のスマート・アプライアンスの管理権限が確定され、第１のスマート・アプライアンスの登録アカウントが第１のアプライアンスグループの管理アカウントに設定された後、サーバから送信された授権メッセージを受信することによって、ユーザが第１のスマート・アプライアンスに第１のスマート・アプライアンスの登録アカウントを登録することで、第１のアプライアンスグループ内の複数のスマート・アプライアンスに対する管理を実現するようにし、スマート・アプライアンスに対する管理をより簡易、より高効率にする。
【０１５３】
図８は、１つの例示的な実施例に係るスマート・アプライアンスの管理アカウント設定用装置８００のブロック図である。例えば、装置８００は、サーバとして提供されることができる。図８に示すように、装置８００は、１つまたは１つ以上のプロセッサを含むプロセスアセンブリ８２２と、プロセスアセンブリ８２２により実行可能な命令、例えばアプリケーションプログラムを記憶するためのメモリ８３２を代表とするメモリ資源と、を含む。メモリ８３２に記憶されているアプリケーションプログラムは、それぞれが一組の命令に対応する１つまたは１つ以上のモジュールを含んでもよい。また、プロセスアセンブリ８２２は、命令を実行して上記スマート・アプライアンスの管理アカウント設定方法を実行するように構成される。
【０１５４】
上記スマート・アプライアンスの管理アカウント設定方法は、
第１のスマート・アプライアンスから、少なくとも第１のスマート・アプライアンスの登録アカウント、及び第１の位置情報が含まれている権限取得要求を受信するステップと、
第１の位置情報に基づいて、位置情報とアプライアンスグループの間の対応関係から第１のアプライアンスグループを取得するステップと、
第１のスマート・アプライアンスが第１のアプライアンスグループ内のスマート・アプライアンスに対する管理権限を有すると確定した場合、第１のスマート・アプライアンスの登録アカウントを第１のアプライアンスグループの管理アカウントに設定するステップと、
第１のスマート・アプライアンス、及び第１のアプライアンスグループ内のスマート・アプライアンスに、第１のアプライアンスグループの管理アカウントが第１のスマート・アプライアンスの登録アカウントであることを通知するための授権メッセージを送信して、第１のスマート・アプライアンス、及び第１のアプライアンスグループ内のスマート・アプライアンスが第１のスマート・アプライアンスの登録アカウントに基づいて第１のアプライアンスグループ内のスマート・アプライアンスを管理するようにするステップと、を含む。
【０１５５】
本発明の別の実施例において、権限取得要求には、第１のスマート・アプライアンスのアプライアンス識別子がさらに含まれ、
第１のアプライアンスグループを取得した後、当該方法は、
第１のスマート・アプライアンスのアプライアンス識別子、予め記憶されているアプライアンス識別子とアプライアンスグループの対応関係に基づいて、第１のスマート・アプライアンスが第１のアプライアンスグループに属しているか否かを判断するステップと、
第１のスマート・アプライアンスが第１のアプライアンスグループに属している場合、第１のスマート・アプライアンスが第１のアプライアンスグループ内のスマート・アプライアンスに対する管理権限を有すると確定するステップと、をさらに含む。
【０１５６】
本発明の別の実施例において、前記権限取得要求には、第２のスマート・アプライアンスのアプライアンス識別子がさらに含まれ、
第１のアプライアンスグループを取得した後、当該方法は、
第１のアプライアンスグループに第２のスマート・アプライアンスのアプライアンス識別子と同一のアプライアンス識別子が存在するか否かを検索するステップと、
第１のアプライアンスグループに第２のスマート・アプライアンスのアプライアンス識別子と同一のアプライアンス識別子が存在する場合、第１のスマート・アプライアンスが第１のアプライアンスグループ内のスマート・アプライアンスに対する管理権限を有すると確定するステップと、をさらに含む。
【０１５７】
本発明の別の実施例において、位置情報とアプライアンスグループの間の対応関係から第１のアプライアンスグループを取得する前に、
複数のスマート・アプライアンスから、少なくとも位置情報、及びアプライアンス識別子が含まれている識別子情報を受信するステップと、
位置情報に応じて、複数のスマート・アプライアンスを異なるアプライアンスグループに区分するステップと、
アプライアンス識別子、位置情報とアプライアンスグループの対応関係を記憶するステップと、をさらに含む。
【０１５８】
本発明の別の実施例において、第１のスマート・アプライアンス、及び第１のアプライアンスグループ内のスマート・アプライアンスに授権メッセージを送信した後、
第１のアプライアンスグループ内の何れかのスマート・アプライアンスである第３のスマート・アプライアンスから、第３のスマート・アプライアンスの位置情報が第１の位置情報から第２の位置情報に変更されたことを通知するための位置更新メッセージを受信するステップと、
位置更新メッセージに基づいて、第３のスマート・アプライアンスが属しているアプライアンスグループを、第１のアプライアンスグループから対応する位置情報が第２の位置情報である第２のアプライアンスグループに変更するステップと、をさらに含む。
【０１５９】
本発明の別の実施例において、位置更新メッセージに基づいて、第３のスマート・アプライアンスが属しているアプライアンスグループを第１のアプライアンスグループから第２のアプライアンスグループに変更した後、
第１のスマート・アプライアンスが第３のスマート・アプライアンスを第１のアプライアンスグループから削除するように通知するための通知メッセージを、第１のスマート・アプライアンスに送信するステップをさらに含む。
【０１６０】
本発明の別の実施例において、当該方法は、
第１のアプライアンスグループの管理アカウントに対して、管理パスワードを設定するステップをさらに含む。
【０１６１】
装置８００は、装置８００の電源を管理するように構成される電源アセンブリ８２６と、装置８００をネットワークに接続するように構成される１つの有線又は無線ネットワークインタフェース８５０と、１つの入出力（Ｉ／Ｏ）インタフェース８５８とをさらに含む。装置８００は、メモリ８３２に記憶されているＯＳ、例えば、Ｗｉｎｄｏｗｓ Ｓｅｒｖｅｒ（登録商標）、Ｍａｃ ＯＳ Ｘ（登録商標）、Ｕｎｉｘ（登録商標）、Ｌｉｎｕｘ（登録商標）、ＦｒｅｅＢＳＤ（登録商標）などあるいは類似するシステムに基づいて動作することができる。
【０１６２】
本発明の実施例に係る装置によれば、第１のアプライアンスグループ内のスマート・アプライアンスに対する第１のスマート・アプライアンスの管理権限を確定した場合、第１のスマート・アプライアンスの登録アカウントを第１のアプライアンスグループの管理アカウントに設定することによって、ユーザが第１のスマート・アプライアンスに第１のスマート・アプライアンスの登録アカウントを登録することで、第１のアプライアンスグループ内の複数のスマート・アプライアンスに対する管理を実現するようにし、スマート・アプライアンスに対する管理をより簡易、より高効率にする。
【０１６３】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１６４】
本発明は、上記で記述し、図面で図示した特定の構成に限定されず、その範囲を離脱しない状況で、様様な修正と変更を実現できる。本発明の範囲は、添付される特許請求の範囲のみにより限定される。
【０１６５】
本願は、出願番号がＣＮ２０１５１０１０５３５６．６であって、出願日が２０１５年３月１１日である中国特許出願に基づき優先権を主張し、当該中国特許出願のすべての内容を本願に援用する。
【手続補正２】
【補正対象書類名】特許請求の範囲
【補正対象項目名】全文
【補正方法】変更
【補正の内容】
【特許請求の範囲】
【請求項１】
第１のスマート・アプライアンスから、少なくとも前記第１のスマート・アプライアンスの登録アカウント、及び第１の位置情報が含まれている権限取得要求を受信するステップと、
前記第１の位置情報に基づいて、位置情報とアプライアンスグループの間の対応関係から第１のアプライアンスグループを取得するステップと、
前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するステップと、
前記第１のスマート・アプライアンス、及び第１のアプライアンスグループ内のスマート・アプライアンスに、前記第１のアプライアンスグループの管理アカウントが前記第１のスマート・アプライアンスの登録アカウントであることを通知するための授権メッセージを送信して、前記第１のスマート・アプライアンス、及び前記第１のアプライアンスグループ内のスマート・アプライアンスが前記第１のスマート・アプライアンスの登録アカウントに基づいて前記第１のアプライアンスグループ内のスマート・アプライアンスを管理するようにするステップと、
を含むことを特徴とするスマート・アプライアンスの管理アカウント設定方法。
【請求項２】
前記権限取得要求には、前記第１のスマート・アプライアンスのアプライアンス識別子がさらに含まれ、
前記第１のアプライアンスグループを取得した後、前記方法は、
前記第１のスマート・アプライアンスのアプライアンス識別子、予め記憶されているアプライアンス識別子とアプライアンスグループの対応関係に基づいて、前記第１のスマート・アプライアンスが前記第１のアプライアンスグループに属しているか否かを判断するステップと、
前記第１のスマート・アプライアンスが前記第１のアプライアンスグループに属している場合、前記第１のスマート・アプライアンスが第１のアプライアンスグループ内のスマート・アプライアンスに対する管理権限を有すると確定するステップと、
をさらに含むことを特徴とする請求項１に記載のスマート・アプライアンスの管理アカウント設定方法。
【請求項３】
前記権限取得要求には、第２のスマート・アプライアンスのアプライアンス識別子がさらに含まれ、
前記第１のアプライアンスグループを取得した後、前記方法は、
第１のアプライアンスグループに前記第２のスマート・アプライアンスのアプライアンス識別子と同一のアプライアンス識別子が存在するか否かを検索するステップと、
前記第１のアプライアンスグループに前記第２のスマート・アプライアンスのアプライアンス識別子と同一のアプライアンス識別子が存在する場合、前記第１のスマート・アプライアンスが第１のアプライアンスグループ内のスマート・アプライアンスに対する管理権限を有すると確定するステップと、
をさらに含むことを特徴とする請求項１に記載のスマート・アプライアンスの管理アカウント設定方法。
【請求項４】
前記位置情報とアプライアンスグループの間の対応関係から第１のアプライアンスグループを取得する前に、
複数のスマート・アプライアンスから、少なくとも位置情報、及びアプライアンス識別子が含まれている識別子情報を受信するステップと、
位置情報に応じて、複数のスマート・アプライアンスを異なるアプライアンスグループに区分するステップと、
アプライアンス識別子、位置情報とアプライアンスグループの対応関係を記憶するステップと、
をさらに含むことを特徴とする請求項１に記載のスマート・アプライアンスの管理アカウント設定方法。
【請求項５】
前記第１のスマート・アプライアンス、及び第１のアプライアンスグループ内のスマート・アプライアンスに授権メッセージを送信した後、
前記第１のアプライアンスグループ内の何れかのスマート・アプライアンスである第３のスマート・アプライアンスから、前記第３のスマート・アプライアンスの位置情報が第１の位置情報から第２の位置情報に変更されたことを通知するための位置更新メッセージを受信するステップと、
前記位置更新メッセージに基づいて、前記第３のスマート・アプライアンスが属しているアプライアンスグループを、第１のアプライアンスグループから対応する位置情報が第２の位置情報である第２のアプライアンスグループに変更するステップと、
をさらに含むことを特徴とする請求項１に記載のスマート・アプライアンスの管理アカウント設定方法。
【請求項６】
前記位置更新メッセージに基づいて、前記第３のスマート・アプライアンスが属しているアプライアンスグループを第１のアプライアンスグループから第２のアプライアンスグループに変更した後、
前記第１のスマート・アプライアンスが前記第３のスマート・アプライアンスを前記第１のアプライアンスグループから削除するように通知するための通知メッセージを、前記第１のスマート・アプライアンスに送信するステップをさらに含むことを特徴とする請求項５に記載のスマート・アプライアンスの管理アカウント設定方法。
【請求項７】
前記第１のアプライアンスグループの管理アカウントに対して、管理パスワードを設定するステップをさらに含むことを特徴とする請求項１から６のいずれか１項に記載のスマート・アプライアンスの管理アカウント設定方法。
【請求項８】
サーバに少なくとも第１のスマート・アプライアンスの登録アカウント、及び第１の位置情報が含まれている権限取得要求を送信して、前記サーバが前記第１の位置情報に基づいて、位置情報とアプライアンスグループの間の対応関係から第１のアプライアンスグループを取得し、前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するようにするステップと、
前記サーバから、前記第１のアプライアンスグループの管理アカウントが前記第１のスマート・アプライアンスの登録アカウントであることを通知するための授権メッセージを受信するステップと、
前記第１のスマート・アプライアンスの登録アカウントに基づいて、前記第１のアプライアンスグループ内のスマート・アプライアンスを管理するステップと、
を含むことを特徴とするスマート・アプライアンスの管理アカウント設定方法。
【請求項９】
前記第１のスマート・アプライアンスの登録アカウントに基づいて、前記第１のアプライアンスグループ内のスマート・アプライアンスを管理した後、
サーバによって前記第１のアプライアンスグループ内の何れかのスマート・アプライアンスである第３のスマート・アプライアンスが属しているアプライアンスグループが第１のアプライアンスグループから第２のアプライアンスグループに変更された場合に送信される通知メッセージを、前記サーバから受信するステップと、
受信した通知メッセージに基づいて、前記第３のスマート・アプライアンスを前記第１のアプライアンスグループから削除するステップと、
をさらに含むことを特徴とする請求項８に記載のスマート・アプライアンスの管理アカウント設定方法。
【請求項１０】
第１のスマート・アプライアンスから、少なくとも前記第１のスマート・アプライアンスの登録アカウント、及び第１の位置情報が含まれている権限取得要求を受信するための第１の受信モジュールと、
前記第１の位置情報に基づいて、位置情報とアプライアンスグループの間の対応関係から第１のアプライアンスグループを取得するための取得モジュールと、
前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するための第１の設定モジュールと、
前記第１のスマート・アプライアンス、及び第１のアプライアンスグループ内のスマート・アプライアンスに、前記第１のアプライアンスグループの管理アカウントが前記第１のスマート・アプライアンスの登録アカウントであることを通知するための授権メッセージを送信して、前記第１のスマート・アプライアンス、及び前記第１のアプライアンスグループ内のスマート・アプライアンスが前記第１のスマート・アプライアンスの登録アカウントに基づいて前記第１のアプライアンスグループ内のスマート・アプライアンスを管理するようにするための第１の送信モジュールと、
を含むことを特徴とするサーバ。
【請求項１１】
前記権限取得要求には、前記第１のスマート・アプライアンスのアプライアンス識別子がさらに含まれ、
前記サーバは、
前記第１のスマート・アプライアンスのアプライアンス識別子、予め記憶されているアプライアンス識別子とアプライアンスグループの対応関係に基づいて、前記第１のスマート・アプライアンスが前記第１のアプライアンスグループに属しているか否かを判断するための判断モジュールと、
前記第１のスマート・アプライアンスが前記第１のアプライアンスグループに属している場合、前記第１のスマート・アプライアンスが第１のアプライアンスグループ内のスマート・アプライアンスに対する管理権限を有すると確定するための第１の確定モジュールと、
をさらに含むことを特徴とする請求項１０に記載のサーバ。
【請求項１２】
前記権限取得要求には、第２のスマート・アプライアンスのアプライアンス識別子がさらに含まれ、
前記サーバは、
第１のアプライアンスグループに前記第２のスマート・アプライアンスのアプライアンス識別子と同一のアプライアンス識別子が存在するか否かを検索するための検索モジュールと、
前記第１のアプライアンスグループに前記第２のスマート・アプライアンスのアプライアンス識別子と同一のアプライアンス識別子が存在する場合、前記第１のスマート・アプライアンスが第１のアプライアンスグループ内のスマート・アプライアンスに対する管理権限を有すると確定するための第２の確定モジュールと、
をさらに含むことを特徴とする請求項１０に記載のサーバ。
【請求項１３】
前記サーバは、
複数のスマート・アプライアンスから、少なくとも位置情報、及びアプライアンス識別子が含まれている識別子情報を受信するための第２の受信モジュールと、
位置情報に応じて、複数のスマート・アプライアンスを異なるアプライアンスグループに区分するための区分モジュールと、
アプライアンス識別子、位置情報とアプライアンスグループの対応関係を記憶するための記憶モジュールと、
をさらに含むことを特徴とする請求項１０に記載のサーバ。
【請求項１４】
前記サーバは、
前記第１のアプライアンスグループ内の何れかのスマート・アプライアンスである第３のスマート・アプライアンスから、前記第３のスマート・アプライアンスの位置情報が第１の位置情報から第２の位置情報に変更されたことを通知するための位置更新メッセージを受信するための第３の受信モジュールと、
前記位置更新メッセージに基づいて、前記第３のスマート・アプライアンスが属しているアプライアンスグループを、第１のアプライアンスグループから対応する位置情報が第２の位置情報である第２のアプライアンスグループに変更するための変更モジュールと、
をさらに含むことを特徴とする請求項１０に記載のサーバ。
【請求項１５】
前記サーバは、
前記第１のスマート・アプライアンスが前記第３のスマート・アプライアンスを前記第１のアプライアンスグループから削除するように通知するための通知メッセージを、前記第１のスマート・アプライアンスに送信するための第２の送信モジュールをさらに含むことを特徴とする請求項１４に記載のサーバ。
【請求項１６】
前記サーバは、
前記第１のアプライアンスグループの管理アカウントに対して管理パスワードを設定するための第２の設定モジュールをさらに含むことを特徴とする請求項１０から１５のいずれか１項に記載のサーバ。
【請求項１７】
サーバに少なくとも第１のスマート・アプライアンスの登録アカウント、及び第１の位置情報が含まれている権限取得要求を送信して、前記サーバが前記第１の位置情報に基づいて、位置情報とアプライアンスグループの間の対応関係から第１のアプライアンスグループを取得し、前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するようにするための送信モジュールと、
前記サーバから、前記第１のアプライアンスグループの管理アカウントが前記第１のスマート・アプライアンスの登録アカウントであることを通知するための授権メッセージを受信するための第１の受信モジュールと、
前記第１のスマート・アプライアンスの登録アカウントに基づいて、前記第１のアプライアンスグループ内のスマート・アプライアンスを管理するための管理モジュールと、
を含むことを特徴とするスマート・アプライアンス。
【請求項１８】
前記スマート・アプライアンスは、
サーバによって前記第１のアプライアンスグループ内の何れかのスマート・アプライアンスである第３のスマート・アプライアンスが属しているアプライアンスグループが第１のアプライアンスグループから第２のアプライアンスグループに変更された場合に送信される通知メッセージを、前記サーバから受信するための第２の受信モジュールと、
受信した通知メッセージに基づいて、前記第３のスマート・アプライアンスを前記第１のアプライアンスグループから削除するための削除モジュールと、
をさらに含むことを特徴とする請求項１７に記載のスマート・アプライアンス。
【請求項１９】
プロセッサと、
前記プロセッサにより実行可能な命令を記憶するためのメモリと、
を含み、
前記プロセッサは、
第１のスマート・アプライアンスから、少なくとも前記第１のスマート・アプライアンスの登録アカウント、及び第１の位置情報が含まれている権限取得要求を受信し、
前記第１の位置情報に基づいて、位置情報とアプライアンスグループの間の対応関係から第１のアプライアンスグループを取得し、
前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定し、
前記第１のスマート・アプライアンス、及び第１のアプライアンスグループ内のスマート・アプライアンスに、前記第１のアプライアンスグループの管理アカウントが前記第１のスマート・アプライアンスの登録アカウントであることを通知するための授権メッセージを送信して、前記第１のスマート・アプライアンス、及び前記第１のアプライアンスグループ内のスマート・アプライアンスが前記第１のスマート・アプライアンスの登録アカウントに基づいて前記第１のアプライアンスグループ内のスマート・アプライアンスを管理するように構成されることを特徴とするスマート・アプライアンスの管理アカウント設定装置。
【請求項２０】
プロセッサと、
前記プロセッサにより実行可能な命令を記憶するためのメモリと、
を含み、
前記プロセッサは、
サーバに少なくとも第１のスマート・アプライアンスの登録アカウント、及び第１の位置情報が含まれている権限取得要求を送信して、前記サーバが前記第１の位置情報に基づいて、位置情報とアプライアンスグループの間の対応関係から第１のアプライアンスグループを取得し、前記第１のスマート・アプライアンスが第１のアプライアンスグループ内のスマート・アプライアンスに対する管理権限を有すると確定した場合、前記第１のスマート・アプライアンスの登録アカウントを前記第１のアプライアンスグループの管理アカウントに設定するようにし、
前記サーバから、前記第１のアプライアンスグループの管理アカウントが前記第１のスマート・アプライアンスの登録アカウントであることを通知するための授権メッセージを受信し、
前記第１のスマート・アプライアンスの登録アカウントに基づいて、前記第１のアプライアンスグループ内のスマート・アプライアンスを管理するように構成されることを特徴とするスマート・アプライアンスの管理アカウント設定装置。
【請求項２１】
プロセッサに実行されることにより、請求項１〜９のいずれかに記載のスマート・アプライアンスの管理アカウント設定方法を実現することを特徴とするプログラム。
【請求項２２】
請求項２１に記載のプログラムが記録された記録媒体。
【手続補正４】
【補正対象書類名】図面
【補正対象項目名】図４
【補正方法】変更
【補正の内容】
【図４】
2017517824.tif 000011
【国際調査報告】
2017517824.tif 000012
2017517824.tif 000013
2017517824.tif 000014
2017517824.tif 000015